(57)【要約】材料を混合するための食品混合機械を提供する。この機械は、水平面上に休止可能なベースユニットと、ベースユニットに配置されるモータと、ベースユニットに取り付けられるボウルと、ボウルに配置される混合ツールと、を有する。ボウルは、ベースユニットが水平面上に休止する一方で、重力方向に対して非平行である角度で延在する長手方向軸線を有する。また、混合ツールは、モータに操作可能に接続されて、モータからトルクを受容し、かつボウル内を移動して、ボウルの内容物を混合する。ボウルの非平行な長手方向軸線は、混合の質を改善し、ミキサーにボウル内の少量の材料をより良く混合することを可能にする。【選択図】図１Ａ
2018507088.tif 000002
【特許請求の範囲】
【請求項１】
材料を混合するための食品混合機械であって、
水平面上に休止するように構成されるベースユニットと、
前記ベースユニットに配置されるモータと、
前記ベースユニットに取り付けられるボウルであって、前記ベースユニットが水平面上に休止する一方で、重力方向に対して非平行である角度で延在する長手方向軸線を有する前記ボウルと、
前記ボウルに配置される混合ツールであって、前記モータに操作可能に接続されて、前記モータからトルクを受容し、かつ前記ボウル内を移動して、前記ボウルの内容物を混合する混合ツールと、
を備える食品混合機械。
【請求項２】
請求項１に記載の食品混合機械であって、前記角度が、重力方向に対して約１６５°〜約１７５°である、食品混合機械。
【請求項３】
請求項１に記載の食品混合機械であって、前記ボウルは、更に、中央開口部を備え、また前記ベースユニットは、更に、前記中央開口部を貫通し、前記混合ツールに接続する駆動軸を備える、食品混合機械。
【請求項４】
請求項１に記載の食品混合機械であって、前記ボウルは、前記ボウルを貫通する中央カラムを備える、食品混合機械。
【請求項５】
請求項１に記載の食品混合機械であって、前記ボウルは、材料を保持するための環状の容器を備える、食品混合機械。
【請求項６】
請求項１に記載の食品混合機械であって、前記ボウルは、前記ベースユニットに取り外し可能に取り付けられる、食品混合機械。
【請求項７】
請求項６に記載の食品混合機械であって、前記ベースユニットは、更に、ネスト部分を備え、前記ボウルは、前記ネスト部分内の前記ベースユニットに取り付けられる、食品混合機械。
【請求項８】
請求項１に記載の食品混合機械であって、前記混合ツールは、前記ボウルの長手方向軸線に沿って移動可能である、食品混合機械。
【請求項９】
請求項１に記載の食品混合機械であって、前記混合ツールは、前記モータによってトルクされる第２ギア面と係合する第１ギア面を備える、食品混合機械。
【請求項１０】
請求項９に記載の食品混合機械であって、前記第１ギア面および前記第２ギア面は、螺旋状である、食品混合機械。
【請求項１１】
請求項１に記載の食品混合機械であって、更に、前記ボウルを被覆する蓋を備え、前記蓋は凹状の頂面を有し、前記凹状の頂面は開口部が形成された側部を有し、前記開口部は前記ボウル内に開口している、食品混合機械。
【請求項１２】
請求項１１に記載の食品混合機械であって、前記蓋は、複数の位置にて前記ボウルに取り付け可能である、食品混合機械。
【請求項１３】
請求項１１に記載の食品混合機械であって、前記開口部は、前記ボウルの長手方向軸線からずれている、食品混合機械。
【請求項１４】
請求項１１に記載の食品混合機械であって、前記開口部は、前記凹状の頂面の最下点に形成される、食品混合機械。
【請求項１５】
請求項１１に記載の食品混合機械であって、前記開口部は、前記開口部の第１端部に第１幅と、前記開口部の第２端部に第２幅と、を備え、前記第１幅は、前記第２幅よりも広い、食品混合機械。
【請求項１６】
請求項１５に記載の食品混合機械であって、前記混合ツールは、前記ボウルに対して回転方向に回転するように構成され、前記蓋における前記開口部の第１端部は、前記混合ツールの回転方向において、前記開口部の第２端部の上流側に配置される、食品混合機械。
【請求項１７】
請求項１に記載の食品混合機械であって、前記ベースユニットは、相互に接続される複数のハウジング部分を備え、前記複数のハウジング部分は、前記ベースユニットの外面を形成し、前記外面は水密性を有する、食品混合機械。
【請求項１８】
請求項１に記載の食品混合機械であって、前記ボウル、モータおよび混合ツールは、前記長手方向軸線に沿って同心に整列される、食品混合機械。
【請求項１９】
請求項１に記載の食品混合機械であって、前記混合ツールは、前記モータから延在する駆動軸によって直結駆動する、食品混合機械。
【請求項２０】
食品混合機械における材料の混合を改善するための方法であって、
ベースユニットと、前記ベースユニットに取り付けられるボウルと、前記ボウルに配置される混合ツールと、前記混合ツールを、長手方向軸線を有する前記ボウルに対して回転させるように構成されるモータと、を有する食品混合機械を準備するステップと、
前記ボウルの長手方向軸線を水平面に対して非垂直としつつ、前記食品混合機械のベースユニットを水平面上に配置するステップと、
材料を前記ボウル内に挿入するステップと、
前記モータを使用して、前記混合ツールを回転させることによって、材料を混合するステップと、
を含む、方法。
【請求項２１】
請求項２０に記載の方法であって、前記材料を重力によって傾けて、前記ボウルの片側に沈殿させる、方法。
【請求項２２】
請求項２０に記載の方法であって、前記混合ツールは、前記ベースユニットに取り外し可能に取り付けられる、方法。
【請求項２３】
請求項２２に記載の方法であって、更に、前記混合ツールを、前記モータによって回転可能な駆動軸に取り付けるステップを含む、方法。
【請求項２４】
請求項２２に記載の方法であって、前記混合ツールは、前記ベースユニットに取り付けられるとき、または前記ベースユニットから取り外されるときに回転する、方法。
【請求項２５】
請求項２０に記載の方法であって、前記ベースユニットを配置するステップは、前記ボウルの長手方向軸線を、水平面に対して約７５〜約８５°の角度に配置するステップを含む、方法。
【請求項２６】
請求項２０に記載の方法であって、前記ベースユニットを配置するステップは、前記ベースユニットの底面を水平面上に配置するステップを含む、方法。
【請求項２７】
請求項２０に記載の方法であって、前記ベースユニットを配置するステップは、前記ベースユニットの複数の脚部を水平面上に休止するステップを含む、方法。
【請求項２８】
請求項２０に記載の方法であって、前記混合ツールは、材料を混合する間、前記ボウルの底面に接触するように構成される、方法。
【請求項２９】
請求項２０に記載の方法であって、更に、前記食品混合機械の駆動軸を前記ボウルに貫通させるステップを含む、方法。
【請求項３０】
材料を混合するための食品調理用機械であって、
水平面上に配置可能なベースユニットと、
前記ベースユニットから延在するボウルであって、第１側面および第２側面を有し、前記第１側面は、前記第２側面よりも水平面に近接して配置される前記ボウルと、
前記ボウルに配置される混合ツールであって、前記ボウル内を移動して、前記ボウルの内容物を混合するよう操作可能である前記混合ツールと、
前記ベースユニットに配置され、かつ前記ボウルに対して前記混合ツールを回転させるように構成されるモータと、
を備える、食品調理用機械。
【請求項３１】
請求項３０に記載の食品調理用機械であって、前記ボウルの底面を貫通する平面が、前記ベースユニットを通る垂直軸に対して非垂直な角度で配置される、食品調理用機械。
【請求項３２】
請求項３０に記載の食品調理用機械であって、前記ボウルは、前記ベースユニットに取り外し可能に取り付けられる、食品調理用機械。
【請求項３３】
請求項３０に記載の食品調理用機械であって、前記ボウルは、環状の形状を備える、食品調理用機械。
【請求項３４】
請求項３０に記載の食品調理用機械であって、更に、前記ボウルの中心を貫通し、前記混合ツールに係合する駆動軸を備える、食品調理用機械。
【請求項３５】
請求項３４に記載の食品調理用機械であって、前記混合ツールは、前記駆動軸に取り外し可能に取り付けられる、食品調理用機械。
【請求項３６】
請求項３０に記載の食品調理用機械であって、前記混合ツールは、少なくとも前記ボウルの第１側面において、前記ボウルの底面に接触するように構成される、食品調理用機械。
【請求項３７】
請求項３０に記載の食品調理用機械であって、前記ベースユニットは、相互に接続される複数のハウジング部分を備え、前記複数のハウジング部分は、前記ベースユニットの外面を形成し、前記外面は水密性を有する、食品調理用機械。
【発明の詳細な説明】
【関連出願の相互参照】
【０００１】
本出願は、２０１５年３月６日付の米国特許出願第１４／６４０５７９号明細書（名称：ミキサー装置および方法）の優先権を主張するものであり、その全体が、参照によって本明細書に組み込まれる。
【技術分野】
【０００２】
本発明は、概して、食品調理用機械、システムおよび方法に関するものであり、特に、改善された混合品質並びにユーザ相互作用およびユーザインタフェースを有する食品混合機械および方法に関する。
【背景技術】
【０００３】
食品混合機械は、材料をボウルにおいて攪拌、混合および練り合わせるために使用される。例えば、スタンドミキサーは、免荷フレームまたはスタンドに取り付けられるモータを有する食品混合機械である。モータは、パドル、ウィスク、ワイヤーホイップおよびフック等の混合ツールや攪拌ツールがボウルまたは他の混合容器に配置されるとき、それらを回転させる。モータ式ツールは、ボウル内の材料を混合、練り合わせ、泡立て、および攪拌して、時間および手間を節約する。
【０００４】
従来型食品調理用機械は、ユーザを多くの場合において苛立たせる。所与のタスクにおいて、間違ったアタッチメントツールを使用した場合、機械の性能は下がり、またはミキサーあるいはツールに損害をもたらすことさえあり得る。従って、ユーザは、時間を費やして、各ツールをどのように、かついつ使用するのかを学ぶ必要性を課されるが、理想的とは言えない結果となることが多い。更に、ユーザは、多くの場合、特定のレシピを混合または練り合わせるのにどれだけの時間および速度が必要か、試行錯誤によって学ばなければならない。これは、多くの場合、不適切に混合された、無駄な材料のバッチに繋がる。
【０００５】
更に、食品ミキサーは、少量の材料を効率的に混合することができない。ミキサーツールは、通常、少量の材料を混合または泡立てることが可能であるほど、ボウル内において十分に遠くまで到達しない。なぜなら、材料は、ツールの先端部の下に沈殿するか、または、混合器具と十分に係合しないからである。例えば、典型的なミキサーは、メレンゲを作るのに３個以上の卵白を必要とするが、１個の卵白では作ることができない。ミキサーツールは、ボウルの底面に対してぴったりとフィットするように構成することができるが、続いて、ボウルを正確に位置付けずにツールを稼働した場合、ツールが湾曲した場合、または重い材料あるいは固体の材料がツールの正確に構成された運動に抵抗した場合に、ツールが損傷を受ける可能性がある。
【０００６】
食品ミキサーにはボウル上に蓋を有しないものもあり、粉末状または液体状の材料は、特にミキサーを高速で動かす場合、混合中にボウルの外に飛散または浮遊しやすい。他のミキサーは、材料の分散を制限するボウル用の蓋またはカバーを有するが、それらは、ボウルの内部へのアクセスや視野を効果的にもたらすものではない。更に、蓋をボウルに取り付けるのは困難であるか、または時間を消費するため、それらは混合ツールの稼働中に有害に外れ得る。これらの蓋は、通常、ミキサーツールアタッチメントの真上で開口する中央開口部も有しており、材料を混合物に追加する際に、それらは、ツールアタッチメントの頂部上に、少なくとも部分的に配置され、不必要にユーザを減速させ、混合タスクを延長し、かつ材料を無駄にする。
【０００７】
従って、食品調理および混合機械並びに方法において、改善する必要がある。
【発明の概要】
【０００８】
本発明の一態様によれば、材料を混合するための食品混合機械を提供する。食品混合機械は、水平面上に休止するように構成されるベースユニットを備えることができる。ベースユニットにモータを配置することができる。ベースユニットが水平面上に休止する一方で、重力方向に対して非平行である角度で延在する長手方向軸線を有するボウルを、ベースユニットに取り付けることができる。モータに操作可能に接続されて、モータからトルクを受容し、ボウル内を移動して、ボウルの内容物を混合する混合ツールをボウルに配置することができる。
【０００９】
食品混合機械は、重力方向に対して約１６５°〜約１７５°の角度を有する。ボウルは、更に、中央開口部を備えることができ、またベースユニットは、更に、駆動軸を備え、該駆動軸は中央開口部を貫通し、かつ混合ツールに接続する。ボウルは、ボウルを貫通する中央カラムを備えることができる。ボウルは、材料を保持するための環状の容器を備えることができる。ボウルは、ベースユニットに取り外し可能に取り付けることもできる。ベースユニットは、更に、ネスト部分を備えることができ、ボウルをネスト部分内のベースユニットに取り付けることができる。
【００１０】
混合ツールは、ボウルの長手方向軸線に沿って移動可能であり、モータによってトルクされる第２ギア面に係合する第１ギア面を備えることができる。第１ギア面および第２ギア面は、螺旋状であってもよい。
【００１１】
蓋は、ボウルを被覆することができ、該蓋は、開口部が形成された側部を有する凹状の頂面を有し、また、該開口部は、ボウル内に開口することができる。蓋は、複数の位置にてボウルに取り付けることができる。開口部は、ボウルの長手方向軸線からずらすことができ、凹状の頂面の最下点に形成してもよい。開口部は、開口部の第１端部に第１幅と、開口部の第２端部に第２幅と、も備えることができ、第１幅は、第２幅よりも広い。混合ツールは、ボウルに関連して回転方向に回転するように構成することができ、蓋における開口部の第１端部は、混合ツールの回転方向において開口部の第２端部の上流側に配置する。
【００１２】
いくつかの実施形態において、ベースユニットは、相互に接続される複数のハウジング部分を備えることができる。この複数のハウジング部分は、水密であるベースユニットの外面を形成する。ボウル、モータおよび混合ツールは、長手方向軸線に沿って同心に整列される。混合ツールは、モータから延在する駆動軸によって直結駆動することができる。
【００１３】
本発明の別の態様は、食品混合機械における材料の混合を改善するための方法に関する。この方法は、ベースユニットと、ベースユニットに取り付けられるボウルと、ボウルに配置される混合ツールと、混合ツールをボウルに対して回転させるように構成されるモータと、を有する食品混合機械を準備するステップを含むことができ、該ボウルは、長手方向軸線を有することができる。この方法は、更に、食品混合機械のベースユニットを、ボウルの長手方向軸線が水平面に対して非垂直となるよう、水平面上に配置するステップと、材料をボウル内に挿入するステップと、モータを使用して混合ツールを回転させることによって、材料を混合するステップと、を含んでもよい。
【００１４】
いくつかの実施形態においては、材料を重力によって傾けて、ボウルの片側に沈殿させる。混合ツールは、ベースユニットに取り外し可能に取り付けることができる。この方法は、混合ツールを駆動軸に取り付けるステップも含むことができ、駆動軸はモータによって回転可能である。混合ツールは、ベースユニットに取り付けられるとき、またはベースユニットから取り外されるときに回転することができる。ベースユニットを配置するステップは、ボウルの長手方向軸線を、水平面に対して約７５〜約８５°の角度に配置するステップを含むことができる。ベースユニットを配置するステップは、ベースユニットの底面を水平面上に配置するステップを含むことができる。ベースユニットを配置するステップは、ベースユニットの複数の脚部を水平面上に休止するステップを含むことができる。混合ツールは、材料を混合する間、ボウルの底面に接触するように構成することができる。いくつかの配置において、この方法は、更に、食品混合機械の駆動軸をボウルに貫通させるステップを含むことができる。
【００１５】
本発明の別の態様は、材料を混合するための食品調理用機械であって、この食品調理用機械は、水平面上に配置可能なベースユニットと、ベースユニットから延在するボウルと、を備え、ボウルは第１側面および第２側面を有し、第１側面が第２側面よりも水平面に近接して配置される。この機械は、ボウルに配置される混合ツールであって、ボウル内を移動して、ボウルの内容物を混合するよう操作可能である混合ツールと、ベースユニットに配置され、かつボウルに対して混合ツールを回転させるように構成されるモータと、も備えることができる。
【００１６】
この機械において、ボウルの底面を貫通する平面は、ベースユニットを通る垂直軸に対して非垂直である角度に配置する。ボウルは、ベースユニットに取り外し可能に取り付けることができる。ボウルは、環状の形状を備えることができる。駆動軸は、ボウルの中心を貫通し、混合ツールに係合してもよい。混合ツールは、駆動軸に取り外し可能に取り付けてもよい。混合ツールは、少なくともボウルの第１側面において、ボウルの底面に接触するように構成することができる。ベースユニットは、相互に接続される複数のハウジング部分を備えることができ、複数のハウジング部分は、ベースユニットの外面を形成し、外面は水密性を有することができる。
【００１７】
本発明の別の態様は、ツールアタッチメント部分を有するベースユニットと、ベースユニットに取り付けられる混合ボウルと、ベースユニットに取り付けられるモータと、を備える食品ミキサーに関する。モータは、操作設定を有し、またツールアタッチメント部分にトルクを印加するように構成することができる。混合ツールは、ツールアタッチメント部分に取り外し可能に取り付けることができ、コントロールユニットは、ツールアタッチメント部分に取り付けられる混合ツールを検出し、検出された混合ツールに基づいて、駆動モータの操作設定を自動的に操作するように構成することができる。
【００１８】
ツールアタッチメント部分は、検出用磁石を備えることができ、またベースユニットは、センサを備えることができる。センサは、コントロールユニットに接続されてもよく、検出用磁石の磁場を感知するように構成することができる。センサは、検出用磁石とセンサとの間の距離を決定するか、または検出用磁石の移動を検出するように構成することもできる。検出用磁石は、バイアス部材によってセンサに向けて、またはセンサから離れてバイアスされてもよい。食品ミキサーは、磁石ホルダおよび第２磁石も備えることができる。磁石ホルダは、ツールアタッチメント部分内に配置し、検出用磁石は、磁石ホルダの第１端部に取り付け、第２磁石は、磁石ホルダの第２端部に取り付ける。この場合、第２端部は、第１端部と比較してセンサに近接して配置する。
【００１９】
操作設定は、操作速度、操作時間およびモータの操作電力のうち少なくとも１つを含むことができる。コントロールユニットは、モータのパワーレベルおよび回転速度を検出し、検出されたパワーレベルおよび混合ツールにおけるモータの回転速度が、上側閾値を超えて上昇した場合または下側閾値を下回って下降した場合に信号を出力するように構成することができる。いくつかの実施形態において、信号は、モータを不能にする。信号は、ユーザインタフェースにメッセージも出力することができる。
【００２０】
本発明の更なる別の態様は、ファストストップ食品調理用装置である。この装置は、ベースユニットと、ベースユニットに取り付けられる混合容器と、混合容器内に延在し、かつ混合容器内を移動するように構成される混合ツールと、ベースユニット内のモータと、を備えることができる。モータは、混合ツールにトルクを供給するように構成することができる。コントロールユニットは、ベースユニット内に配置することができ、モータに接続される。コントロールユニットに接触センサを接続することができ、この場合、コントロールユニットは、接触センサにより人の手が接触したことを感知すると、モータの回転を停止するように構成してもよい。
【００２１】
いくつかの配置において、混合ツールは、混合容器内に延在する混合部材を備える。この場合、接触センサは、混合部材に接続され、かつ混合部材に人の手が接触したことを感知するように構成される。混合部材は、細長いフック、ウィスク、または練り合わせ部材であってもよい。ベースユニットは、外面を備えることができ、この場合、接触センサは、外面に接続され、外面への人の手の接触を感知するように構成される。この外面は、ベースユニットのユーザインタフェース部分であってもよい。
【００２２】
コントローラは、モータのモータ駆動方向を逆転することによって、モータの回転を停止するように構成することができる。モータは、ほぼ瞬間的に、より具体的にはほんの数度の回転で停止するように構成することができる。いくつかの構成において、混合ツールは、混合容器内で回転するように構成することができ、混合容器はボウルであり得る。
【００２３】
本発明の別の態様は、プログラム可能な食品調理用システムに関する。このシステムは、混合容器と、混合容器内に延材する混合ツールと、混合ツールにトルクを印加するように構成されるモータと、モータに接続され、モータの操作設定を制御するように構成されるコントロールユニットと、コントロールユニットと通信する第１無線通信インタフェースと、を有する食品調理用装置を含むことができる。このシステムは、モータの操作パラメータを受信するように構成されるコンピュータ装置を備える遠隔制御装置と、第１無線通信インタフェースに接続し、コンピュータ装置を使用してコントロールユニットに操作パラメータを伝達するように構成される第２無線通信インタフェースと、も含むことができる。コントロールユニットは、混合ツールを使用して、混合容器内の食品を調理するための操作パラメータに従って、モータの操作設定を制御するように構成することができる。
【００２４】
いくつかの実施形態において、遠隔制御装置は、インターネットへの接続を含むことができ、かつインターネットへの接続を介して、モータの操作パラメータを受信するように構成されてもよい。遠隔制御装置は、ユーザインタフェースを備えることができ、ユーザインタフェースを介してモータの操作パラメータを受信するように構成することができる。ユーザインタフェースは、接触感知式であってもよく、食品調理用装置のハウジング内に配置してもよい。遠隔制御装置は携帯型であってもよい。
【００２５】
コントローラは、モータのモータ駆動方向を逆転することによって、モータの回転を停止するように構成することができる。モータは、ほぼ瞬間的に、より具体的にはほんの数度の反転で停止するように構成することができる。いくつかの構成において、混合ツールは、混合容器内で回転するように構成することができ、混合容器はボウルであり得る。
【００２６】
本発明の更に別の態様は、ベースユニットと、ベースユニットに取り付けられる混合容器と、ベースユニットにリンクする磁気センサと、混合容器に配置される混合ツールと、混合ツールにトルクを供給して、混合部材を混合容器内で移動させるように構成される、ベースユニット内のモータと、を備える食品調理用装置に関する。蓋は、混合容器に取り外し可能に取り付けることができ、蓋が係止方向において混合容器に取り付けられるとき、この蓋は、混合容器の磁気センサに近接して配置される磁石を有することができる。コントロールユニットは、磁気センサおよびモータに接続されてもよく、またコントロールユニットは、蓋が係止位置にない場合、モータを回転不能とするよう構成してもよい。
【００２７】
磁気センサは、混合容器の上端部に配置することができ、リードスイッチであってもよい。蓋は、複数の係止位置にて混合容器に取り付け可能である。
【００２８】
混合容器は、ベースユニットに取り外し可能に取り付けることができ、この場合、混合容器は、磁気センサに接続される第１電気的インタフェースを備えることができ、ベースユニットは、コントローラに接続される第２電気的インタフェースを備えることができる。磁気センサとコントロールユニットとの間に電気的接続を供給するために、混合容器がベースユニットに取り外し可能に取り付けられるとき、第１および第２電気的インタフェースは、相互に接続されてもよい。蓋は、可撓部を含むことができ、磁石は可撓部に配置することができる。ベースユニットは、蓋に向けて延在する蓋検出部分を備えることができ、この場合、磁気センサは、蓋検出部分に配置することができる。
【００２９】
本発明の別の態様は、モータ式食品混合装置に取り付けるための可変係合遊星食品混合ツールに関する。このツールは、駆動軸係合部分および第１長手方向軸線を有する本体と、第１長手方向軸線と同軸にサンギアとを備えることができ、サンギアは、第１螺旋状ギア面を有することができる。第２長手方向軸線を有する遊星ギアを含むこともでき、第２長手方向軸線は第１長手方向軸線に非平行であり、また、第２螺旋状ギア面を有する遊星ギアは、第２長手方向軸線を中心に延在する。遊星ギアは、第２長手方向軸線に沿った複数の位置において、サンギアの第１螺旋状ギア面に係合可能である。混合部材は、遊星ギアに接続されてもよく、遊星ギアがサンギアを横断するとき、第２長手方向軸線を中心に回転する間、第１長手方向軸線を中心に移動するように構成することができる。
【００３０】
いくつかの実施形態において、駆動軸係合部分は、駆動軸のギア面に係合するように構成される第３螺旋状ギア面を備えることができる。ボウルがサンギア内に挿入される際、サンギアは、ボウルに対してサンギアを静止状態に維持するように構成されるボウル係合部分を備えることができる。混合部材は、フック、ウィスク、ブレードまたは練り合わせ部材のうちの少なくとも１つであることができる。
【００３１】
第２長手方向軸線に沿った遊星ギアの位置は、サンギアに対する遊星ギアの移動速度に依存する。第２長手方向軸線に沿った遊星ギアの位置は、第２長手方向軸線に沿った混合部材に印加される力に依存する場合がある。第１螺旋状ギア面は、複数の第１ギア歯を有することができ、また第２螺旋状ギア面は、複数の第２ギア歯を有することができる。複数の第１ギア歯は、複数の第２ギア歯の倍数ではなくてもよい。
【００３２】
混合部材は、複数のワイヤを備えることができ、各ワイヤは、約０．０９インチ〜約０．２インチの直径を有する。いくつかの実施形態において、混合部材は、ウィスク形状を形成する複数のワイヤを備えることができ、各ワイヤは、遊星ギアから離れて延在する先端部を有する。この場合、複数のワイヤは、先端部において、相互に横方向に分離可能であるか、または、混合部材の長手方向軸線に沿って重なり合っていない。
【００３３】
別の実施形態において、可変係合の遊星食品混合ツールを有するモータ式食品混合装置を提供する。この混合装置は、ベースユニットと、ベースユニットに格納されるモータと、を備えることができる。第１長手方向軸線を有する駆動軸は、モータによって回転可能である。混合容器は、ベースユニットに取り付け可能であり、駆動軸に係合する本体と、第１長手方向軸線に同軸にあって、第１螺旋状ギア面を有するサンギアと、第１長手方向軸線に対して非平行である第２長手方向軸線を有し、第２長手方向軸線を中心に延在し、第２長手方向軸線に沿った複数の位置において、サンギアの第１螺旋状ギア面に係合する第２螺旋状ギア面を有する遊星ギアと、混合容器内に延在し、遊星ギアに接続され、遊星ギアがサンギアを横断するとき、第２長手方向軸線を中心に回転する間、第１長手方向軸線を中心に移動するように構成される混合部材と、を備える混合ツールを含んでもよい。
【００３４】
混合容器は、ポストを備えることができ、また混合ツールのサンギアは、係合面を備えることができる。この場合、係合面は、ポストに係合し、サンギアをポストに対して静止状態に維持する。混合部材は、混合容器の底面に対して休止してもよい。第１長手方向軸線は、垂直方向から逸れて傾斜していてもよい。
【００３５】
別の実施形態は、ツールアタッチメント部分を有するベースユニットを備える食品ミキサーに関する。混合ボウルは、ベースユニットに取り付けられてもよい。ベースユニットにモータを取り付けてもよく、この場合、モータは、操作設定を有しており、かつツールアタッチメント部分にトルクを印加するように構成することができる。混合ツールは、ツールアタッチメント部分に取り外し可能に取り付けることができる。ミキサーの温度センサは、モータの温度を測定するように構成することができ、またコントロールユニットは、モータの温度の測定結果を受信し、モータ効率データを参照して、モータの出力電力を決定するように構成することができる。
【００３６】
更に別の実施形態は、混合ツールアタッチメントに接続されるモータと、モータ用の入力電力センサと、モータ用の温度センサと、を有するミキサー装置を準備するステップを含む食品ミキサー装置の制御方法に関する。混合ツールアタッチメントは、混合容器内に延在することができる。この方法は、更に、モータにより混合ツールアタッチメントを回転させるように操作するステップと、モータの稼働中において、温度センサを使用してモータの温度と、入力電力センサを使用してモータの入力電力とを測定するステップと、を含むことができる。続いて、この方法は、モータの入力電力および温度を利用して、モータの出力電力を計算するステップと、算出された出力電力に基づいてモータの操作設定を調整するステップとを含むことができる。
【００３７】
上述した本発明の概要は、本発明の各実施形態または全ての実装形態を記載することを意図するものではない。図面および以下の詳細な説明は、好適な実施形態をより特定的に例示するものである。
【００３８】
添付図面は、多数の例示的な実施形態を示しており、明細書の一部である。本明細書と共に、これらの図面は、本発明の多様な原理を論証し、説明するものである。本発明の性質および利点の更なる理解は、添付図面を参照することによって実現することができる。添付図面において、同様の構成要素または特徴は同一の参照ラベルを有する。
【図面の簡単な説明】
【００３９】
【図１Ａ】本発明によるミキサー装置の斜視図である。
【図１Ｂ】ミキサー装置のボウルの長手方向軸線に整列された、図１Ａのミキサー装置の頂面図である。
【図１Ｃ】図１Ａのミキサー装置の正面図である。
【図１Ｄ】図１Ａのミキサー装置の後面図である。
【図１Ｅ】図１Ａのミキサー装置の側面図である。
【図２Ａ】蓋および混合ツールアタッチメントを除いた、図１Ａのミキサー装置の斜視図である。
【図２Ｂ】図２Ａのミキサー装置の底面斜視図である。
【図２Ｃ】図２Ａのミキサー装置の側面図である。
【図２Ｄ】図２Ａのミキサー装置の正面図である。
【図２Ｅ】ボウルの長手方向軸線に整列された、図２Ａのミキサー装置の頂面図である。
【図３Ａ】ボウルを除いた、図２Ａのミキサー装置の斜視図である。
【図３Ｂ】図３Ａのミキサー装置の側面図である。
【図３Ｃ】垂直方向または重力方向に整列された、図３Ａのミキサー装置の頂面図である。
【図４】上側ハウジング、側部ハウジングおよびユーザインタフェースを除いた、図３Ａのミキサー装置の斜視図である。
【図５】下側ハウジングを除いた、図４のミキサー装置の底面斜視図である。
【図６】図１Ａのミキサー装置の分解図である。
【図７】図１Ａのミキサー装置の別の分解図である。
【図８】図１Ａのミキサー装置の中央側面断面図である。
【図９】図１Ａのミキサー装置の下側ハウジングの頂面斜視図である。
【図１０】図９の下側ハウジングの側面断面図である。
【図１１】本発明のミキサー装置のボウルの斜視図である。
【図１２】図１１のボウルの中央側面断面図である。
【図１３】図１１のボウルの中央カラムの詳細な頂面図である。
【図１４Ａ】本発明のミキサー装置の斜視図である。
【図１４Ｂ】図１４Ａの蓋の頂面図である。
【図１５Ａ】図１４Ｂにおける１５Ａ−１５Ａ線に沿った、図１４Ａの蓋の断面図である。
【図１５Ｂ】図１４Ｂにおける１５Ｂ−１５Ｂ線に沿った、図１４Ａの蓋の断面図である。
【図１５Ｃ】図１４Ｂにおける１５Ｃ−１５Ｃ線に沿った、図１４Ａの蓋の断面図である。
【図１６Ａ】本発明によるドーフックアタッチメントの側面図である。
【図１６Ｂ】図１６Ａのドーフックアタッチメントの底面斜視図である。
【図１７Ａ】本発明によるフレンチウィスクアタッチメントの斜視図である。
【図１７Ｂ】図１７Ａのアタッチメントの底面斜視図である。
【図１７Ｃ】ボウルにおける、図１７Ａのアタッチメントの部分断面図である。
【図１８Ａ】上側ハウジング部分を除いた、図１７Ａのアタッチメントの頂面図である。
【図１８Ｂ】図１８Ａのアタッチメントの側面図である。
【図１９Ａ】本発明によるクッキーウィスクアタッチメントの斜視図である。
【図１９Ｂ】図１９Ａのアタッチメントの底面斜視図である。
【図１９Ｃ】ボウルにおける、図１９Ａのアタッチメントの部分断面図である。
【図２０Ａ】上側ハウジング部分を取り外した、図１９Ａのアタッチメントの頂面図である。
【図２０Ｂ】図２０Ａのアタッチメントの側面図である。
【図２１】本発明のモータおよび駆動軸アセンブリの斜視図である。
【図２２】図２１のモータおよび駆動軸アセンブリの分解図である。
【図２３】図２１の駆動軸の分解図である。
【図２４】図２１の駆動軸の上側駆動軸部分の説明図である。
【図２５】図２４の上側駆動軸部分の中央断面図である。
【図２６Ａ】図２１の駆動軸の下側駆動軸部分の説明図である。
【図２６Ｂ】図２６Ａの下側駆動軸部分の頂面図である。
【図２７】図２６Ａの下側駆動軸部分の中央断面図である。
【図２８】図２１の駆動軸の中央断面図である。
【図２９】本発明によるシステムのブロック図である。
【図３０】本発明によるシステムのブロック図である。
【図３１Ａ】本発明のミキサー装置の別の実施形態の後方斜視図である。
【図３１Ｂ】図３１Ａのミキサー装置の詳細図である。
【図３２】図３１Ａのミキサー装置の部分中央断面図である。
【図３３】本発明による方法例を示すフローチャートである。
【図３４】本発明による方法例を示すフローチャートである。
【図３５】本発明によるコントロールユニット用の回路のブロック図である。
【発明を実施するための形態】
【００４０】
本明細書に記載の実施形態は、多様な修正および代替的な形態に影響を受けるが、特定の実施形態を図面に例示として示すと共に、詳細を本明細書に記載する。しかしながら、本明細書に記載の実施例は、開示した特定の形態に限定することを意図するものではない。むしろ、本開示は、添付の特許請求の範囲内にある全ての修正、同等物、および代替物を含むものとする。
【００４１】
本発明の装置、システムおよび方法は、従来の食品調理用装置の欠点を制限または克服するための改善された効率的な方法を提供する。
【００４２】
本発明の一態様においては、混合する間、少なくとも混合容器（例えば、ボウル）を垂直方向に対してある角度に傾けた食品混合装置および方法が提供される。混合装置のベースが平坦な水平面上に休止する一方、この角度は、垂直状態に対して約５°〜約１５°の範囲内とすることができる。ブレンダーベースおよびボウルを約１０°の角度に移動する利点の一つに、ボウルの円弧半径並びに移動／回転するウィスク、パドルおよびドーフックの中央動作の整列を改善させられる点が挙げられる。これにより、混合ツールをボウル内で混合される媒体に、より効率的かつ迅速に整列および係合することができる。傾斜した形状により、材料を混合および攪拌する際に、重力により生じる材料における旋回および沈殿運動によって効率的な混合が可能となる。この傾斜は、材料がより容易にボウルおよびアタッチメントの傾斜した側面に滑り落ちることで、取り込まれずに無駄になる材料をより少なくしながら、より完全で効率的に混合するために、材料が下方に、かつボウルの片側にまとまるのにも役立つ。対照的に、従来のミキサーのユーザは、確実に完全な混合をするために、混合を停止し、混合されなかった側面の材料をきれいに掻き取り、続いて混合を再開しなければならないだろう。
【００４３】
更に、この配置および整列は、他の従来のミキサーでは、ミキサーアタッチメントとボウルとの間の空間があるため係合不可能である、少量のレシピ材料の混合を容易にする。例えば、傾斜したボウル混合機械は、材料がボウルの片側に沈殿またはプールするのに役立ち、ボウルのその片側における材料の深度は、ボウルの底面全体に亘って均一に分散される材料の深度よりも深い。これは、ボウルがバントケーキと同様の、中央カラムを有する環状の形状を有する場合に、特に効果的である。なぜなら、環状形状の片側に沈殿またはプールされた材料の深度は、通常の、半球形のボウルよりも深いからである。例えば、典型的なミキサーが、メレンゲを作るのに３個以上の卵白を必要とする一方で、本発明の傾斜したミキサーは、たった１個分の卵白で作ることができる。
【００４４】
傾斜したボウルは、ミキサーがカウンターや棚上に配置される場合等の共通設定において、ボウルにおける内容物の可視性も改善することができる。従来型のミキサーは、混合容器の開口部を上方に有しており、ユーザは、傾斜したボウルミキサーと同様に内部を見るためには、ミキサーの頂部に近づくか、そこから離れなければならない。
【００４５】
本発明のミキサーは、ミキサーのボウルを被覆する蓋の利便性や効率も改善されている。蓋は、混合容器内に開口する開口部内に媒体を注入するように構成された凹状の頂面を備えることができる。開口部は、蓋の中心からずれてもよく、それにより蓋の頂部上の媒体を、混合ツールの通路内かつ既に容器内にある材料に直接的に流入または落下させることができる。更に、開口部は、開口部の上流側よりも小さく、および／または高い（即ち、深度がより浅い）下流側面を有することによって、材料が容器から放出されるのを防ぐように成形することができる。
【００４６】
蓋は、複数の位置において、ボウルに取り付けることができ、例えば、右利き用または左利き用により便利であるように、選択的に配置される開口部と共に取り付けることができる。ボウルは、同様に複数の位置において、ベースに取り外し可能に取り付けることができ、蓋における開口部は、カスタマイズされた開口部配置を達成するために、ボウルに対する蓋の複数の配置を、ベースに対するボウルの複数の配置と組み合わせることによって、ミキサーのベースに対する複数の位置に配置することができる。従来型ミキサーは、右利きのユーザにとってのみ好ましい傾向があり、任意の蓋の開口部の配置において、選択肢が少ない。
【００４７】
いくつかの実施形態において、ミキサーは、蓋センサを備えることもできる。蓋センサは、混合容器の上側リムまたはリップ付近に配置することができ、蓋が混合容器に取り付けられると、蓋の存在を検出することができる。いくつかの実施形態において、センサは、ミキサーのベースから蓋に向けて延在する部材の端部に配置することができる。混合機械は、例えば、蓋が取り外されるか、不適切に取り付けられているか、または検出されない場合に、駆動モータを停止することによって、蓋が検出されたか否かに従って、操作を調整することができる。一実施形態において、蓋センサは、蓋部分における磁石の存在を検出するように構成されたリードスイッチであることができる。蓋センサは、例えば、容器の上側リップまたはリムに配置し、ミキサーのベースにおける接続に繋がる電気リードを設ける等して、混合容器と一体化させることができる。センサは、代替的に、ポスト、または蓋が混合容器に接続する位置に向けて上方に延在する他の部材上に配置することができる。
【００４８】
本発明の別の態様においては、耐水性ミキサーを提供する。このミキサーは、ベースユニットまたは混合容器を取り付け可能であるスタンドを備えることができる。パネルまたはミキサーのモータおよび他の電子装置を収容するハウジングセグメントは、相互の間にガスケットまたは他のシーリング要素を保持するように構成することにより、水等の液体がハウジングの内側に滲出できないようにすることができる。更に、モータは、低ノイズ、低熱生産、ハウジングに排気口や他の開口部を必要とすることなく、封止された駆動軸を駆動するブラシレスＤＣモータとして構成することができる。ミキサーのユーザインタフェースの要素は、タッチ操作可能であるか、または液体がユーザインタフェースの外面に浸透（例えば、ボタンの端縁とハウジングパネルとの間に滲出）することができないように耐水性レイヤの下に封止されていてもよい。
【００４９】
本発明の付加的な態様は、食品ミキサー装置および相関的なミキサーコントロールに接続されるアタッチメントの検出に関する。一実施例において、ミキサーは、混合ツールがミキサーに取り付けられているか否かを検出し、また、例えば、ツールが取り付けられていない場合にモータを不能とする等、それに応じてミキサーのモータの操作設定を制御するように構成されるコントロールユニットを備えることができる。代替的に、ミキサーは、取り付けられているアタッチメントの種類を検出することができ、モータの速度や電力設定を修正して、そのアタッチメントの種類を利用して適切に混合することができる。一実施形態において、アタッチメントは、ミキサーにおいて、ミキサー装置に接続される際に、ホール効果センサ（または別の磁気検出センサ）によって検出可能な磁気的要素を有することができる。代替的に、磁気的要素は、（例えば、駆動軸における）ミキサーのベースにおける磁石の移動によって検出することができる。各アタッチメントは、ホール効果センサを介して、異なる電圧を誘発させることができ、ミキサーにより、どの種類のアタッチメント（例えば、ドーフック、クッキーウィスク等）が取り付けられているかを判定することができる。いくつかのケースにおいて、コントロールユニットは、使用されるアタッチメントの種類に基づいて、モータの特定の速度、電力レベル、またはトルクレベルを無効とすることができる。
【００５０】
本発明の特定の実施形態は、食品調理用装置のためのコントロールシステムに関しており、この場合、モータは、緊急時に迅速に停止することができる。装置の容器における混合ツールまたは攪拌器は、タッチセンサに接続することができ、モータの稼働中に人の手がツールまたは攪拌器に接触すると、コントローラがモータを迅速に停止するか、またはモータの運動を逆転して停止させる。別の実施形態において、コントローラは、手が、例えば装置のユーザインタフェース面やハウジング等の装置の外面に接触すると、モータを消すか、または停止させることができる。これにより、ユーザが、混合容器内に延在する混合ツールの運動を停止させたい状況において、迅速にモータの運動を制限することができる。
【００５１】
混合装置および方法における更なる態様は、混合装置の遠隔制御またはプログラミングを含むことができる。コンピュータ装置（例えば、スマートフォン、タブレットまたはパーソナルコンピュータ）等の遠隔制御装置は、混合装置に無線接続され、予め決定された方法において混合および調理するための設定を装置に送信することができる。例えば、ユーザは、特定のレシピを作るための好適な混合サイクル、電力設定、タイミング等を決定することができ、これらの設定は、装置内のコントローラに送信されて、これらの設定に従って、そのレシピを調理する。別の実施例において、遠隔制御装置は、装置のコントローラと通信して、所望のレシピのために材料から得られた重量または他の測定結果を送信するように構成されるスケールまたは他の測定装置を備えることができる。続いて、この装置は、混合サイクルを制御して、測定後に装置に添加される部分までカスタマイズされたレシピを調理することができる。
【００５２】
いくつかの特別なアタッチメントも本発明の一部とする。このアタッチメントは、ワイヤ、ウィスク、フック、または他の混合器具等の食品混合装置に取り付け可能な混合ツールであり得る。混合ツールは、多様な深度で、ツールの端部を混合容器内に延在可能とする遊星ギアシステムを備えることができる。一実施形態において、混合ツールは、下方に延在して、低荷重下で混合容器の底部に接触することができるが、重荷重下では、ツールは上方に引き込まれることによって、遊星ギアシステムにおけるギア係合を増加させ、ツールの有効性を保存する。遊星ギアシステムは、遊星ギアを、サンギアを中心に不均一なパターンで回転させることで、混合ツールが混合容器を中心とした回転を完了する都度、混合ツールが異なる回転角度になることによって、より混合するのに役立つ。
【００５３】
本発明の別の態様は、ワイヤウィスクツールに関する。従来のウィスクは、ツールに、ワイヤが交わるか、または相互に交差する小さな割れ目や裂け目があることより清掃するのが困難である一方、本発明によるウィスクツールは、交差するワイヤを有しなくてもよく、それ故、清掃が容易である。ウィスクツールにおけるワイヤの直径も典型的なウィスクよりも大きく、約０．０９インチ〜約０．２インチの間の直径を有する。他の従来型のウィスクは、より小さな直径のワイヤから製造されており、それ故、より損傷および屈曲しやすい。小さな直径により、混合される製品のタンパク質チェインを破壊するため、混合される材料内に空気を混ぜ込むのに十分に小さいとはいえ、それらはメレンゲを作る際にはあまり効率的ではない。本発明のウィスクは、ボウルプランジャアセンブリを備えることにより、ウィスクをハウジング上に保持することもできると共に、清掃のために容易に取り外すことも可能である。ウィスクにおける螺旋状のギアアセンブリは、直線ギアより静かであり、かつ荷重に基づいてウィスクを持ち上げる推力をウィスク上に発生させる。これにより、ウィスクとボウルの底部との間の間隙を制御することができる。ウィスク上に軽量の荷重が加わると、ウィスクは、混合される材料と最大限に係合するようボウルの底部上に乗る。また、荷重が増加すると、ウィスクは、ボウルの底部から上方に移動して、ボウルとウィスクとの間の間隙を広げ、ギア間の係合を増加させる。
【００５４】
本発明の更に別の態様は、混合装置を使用する自動練り合わせ用システムに関する。従来型の装置が、装置のモータの出力電力を監視し、この情報に基づいてモータの設定を制御することができる一方、本発明によるシステムは、モータの温度を変換して、追跡し、入力モータ電圧および測定されたモータ電流の観点において、モータ出力の効率性における変化を考慮して、モータの出力電力を決定することができる。更に、モータが混合ツールを直接的に駆動する実施形態において、ギア列（およびそれ自体の貢献における非能率性）は、監視または説明する必要がなく、モータの効率性の計算は改善される。直結駆動ミキサー装置は、力の損失がより少ないため、既存の装置よりもモータの混合動作はより力強くなる。
【００５５】
本明細書は、実施例を提供するものであり、特許請求の範囲に記載の範囲、適用性、または構成を制限するものではない。従って、本発明の精神および範囲から逸脱することなく、記載した要素の機能および配置に変更を加え得ること、並びに、多様な実施形態は、適宜、別の処置または構成要素を省略、代用、または追加することができることを理解されよう。例えば、記載した方法は、記載したのとは異なる順序で実施することができ、また多様なステップを追加、省略または組み合わせてもよい。また、ある実施形態に関連して記載した特徴は、別の実施形態に組み合わせることもできる。
【００５６】
（ミキサー装置）
本発明の多様な態様は、図面を参照することによって説明することができる。図１Ａ〜図１０は、本発明のミキサー装置１００の実施例の態様を示す。ミキサー装置１００は、少なくとも、水平面上に休止するように構成されたベースユニット１０２（即ち、スタンド、ハウジングまたは支持部）を含む、要素のアセンブリを備えることができる。ボウル１０４または他の混合容器をベースユニット１０２に取り付けるか、またはベースユニット１０２と一体化させることができる。また、回転混合ツール１０６は、ボウル１０４に配置することができる。回転混合ツール１０６は、ベースユニット１０２内のモータ１６６に操作可能に接続されてもよく（図８参照）、それによって、以下に更に詳述するように、モータは、トルクを付与するか、または回転混合ツール１０６の回転運動を引き起こす。蓋１０８は、ボウル１０４に取り付けられて、回転混合ツール１０６、ボウル１０４の内部空間、およびボウル１０４内の任意の材料または他の媒体を被覆することができる。
【００５７】
ミキサー装置１００は、混合、練り合わせまたは攪拌し、例えば、フック、ワイヤまたはウィスク等の回転混合ツール１０６を使用してボウル１０４内の食品材料または他の媒体を結合することができる食品混合装置として使用することができる。いくつかの実施形態において、ミキサー装置１００は、混合装置として使用して、例えばブレンディングブレード等の回転混合ツール１０６を使用して食品材料または他の媒体を切断または粉砕することができる。
【００５８】
ミキサー装置１００は、多様な形状およびサイズを有することができる。これらの図面に示すミキサー装置１００は、カウンターまたは棚上に休止し、ボウル１０４内に数クオートの材料を保持するように構成された、比較的小型のモデルであるが、別の実施形態では、例えば、床上に休止し、その混合容器内に数ガロンの材料を保持するように構成された機械等のより大型または小型の装置を含むことができる。従って、当業者は、ミキサー装置１００を多様なサイズとすることができ、ミキサー装置１００の特徴および発明的要素は、本発明の精神および範囲から逸脱することなく、多様な他の形態の混合装置の形態で実施可能であることを理解されよう。
【００５９】
ベースユニット１０２は、カウンター、棚またはテーブル等の水平面上に休止するように構成される小型ユニットであってもよい。ベースユニット１０２は、ユーザインタフェース１１０、底部ハウジング１１２、上側ハウジング１１４、および側部ハウジング１１６を備えることができる。モータ１６６および電子ユニット２５４（例えば、パワーエレクトロニクスおよび制御装置等）は、ベースユニット１０２内に収容することができる（図４〜図８参照）。図２Ａ〜図２Ｄは、回転混合ツール１０６を除いた、ベースユニット１０２および蓋１０８を有するボウル１０４の詳細を示す。図３Ａ〜図３Ｃは、ボウル１０４から分離したベースユニット１０２を示す。
【００６０】
底部ハウジング１１２は、平坦な水平面上に休止するように構成されるベースユニット１０２の一部であってもよい。底部ハウジング１１２の外部は、ゴム引き層１１９を備える（または、底部ハウジング１１２をゴム引き材料から構築する）ことにより、底部ハウジング１１２と底部ハウジングが接触する他の面との間の摩擦を強化することができる（図２Ｂおよび図６〜図８参照）。底部ハウジング１１２は、ベースユニット１０２の底部のために連続的な表面を供給することができる。即ち、ミキサー装置１００を完全に組み立てたとき、底部ハウジングにはベントや封止されていない開口部は存在しない。底部ハウジング１１２を貫通する任意の要素は、例えば、ガスケット、Оリングまたは他の液密シールを使用することによって、底部ハウジング１１２を通じた液体または他の材料の進入を封止することができる（図８〜図１０も参照）。
【００６１】
ベースユニット１０２の底部ハウジング１１２は、人の手の指を受容するように構成される複数の側凹部１２０（即ち、グリップ性）を含むことができる。ベースユニット１０２が平坦な水平面から、底部ハウジング１１２の底面１２２が水平面に対するように持ち上げられるとき、側凹部１２０は、ユーザの把持を容易にする。更に、側凹部１２０は底部ハウジング１１２に形成されるため、側凹部１２０は、更なるグリップのためにゴム引きされてもよい。いくつかの実施形態において、複数のバンプまたは脚部は、底面１２２から延在してもよく、ベースユニット１０２は、水平面上に配置されると、複数のバンプまたは脚部のいずれかの上に休止することができる。
【００６２】
底部ハウジング１１２は、底面１２２を備えることができる（図２Ｂ、図７および図８参照）。底面１２２は、ほぼ平坦であり、ベースユニット１０２が水平面上に休止すると、底面１２２は、水平面に平行になる。コード凹部１２４を底面１２２に形成することができる。コード凹部１２４は、コードラッピングガイド１２６を受容することができる。従って、ベースユニット１０２に内的に接続される電気コードは、コード凹部１２４を貫通し、コードラッピングガイド１２６に収容することができる。
【００６３】
側部ハウジング１１６は、ベースユニット１０２の外部を中心に周方向に延在する。側部ハウジング１１６は、ベースユニットの長手面を通じて全体的に対称的である。側部ハウジングは、正面端部１２８および後方端部１３０を備えることができる。図３Ｂに示すように、正面端部１２８は、（底面１２２またはベースユニット１０２が休止している水平面から測定した際に）後方端部１３０よりも高さが短くてもよい。従って、正面端部１２８の高さＨ１は、後方端部１３０の高さＨ２よりも低くてもよい。Ｈ１およびＨ２におけるこの差異は、ベースユニット１０２を通じて、角度Ａだけ垂直軸Ｖに対して傾斜している長手方向軸線Ｌを有するボウル１０４に貢献し得る（図２Ｃも参照）。換言すると、ボウル１０４がベースユニット１０２に取り付けられるとき、ボウル１０４の片側は、ボウル１０４の反対側よりも、ミキサー装置１００の底面１２２（または混合装置１００が位置付けられる水平面）により近接している。代替的に、平面は、ベースユニット１０２を通じて垂直軸（例えば、Ｖ軸）に対して非平行である角度で配置されるボウル１０４の底面を貫通することができる。
【００６４】
ボウル１０４の下側面１５０（図７および図１２参照）は、下側面１５０を貫通する平面を有することができる。下側面１５０を通じる平面は、ベースユニット１０２を通じる垂直軸（例えば、図３の垂直軸Ｖ）に対して非平行に、かつ非垂直に配置することができる。ボウル１０４の約１０°の傾斜により、この下側面１５０は、ミキサー装置１００上の軸Ｖに対して垂直ではなくなる。いくつかの実施形態において、下側面１５０を通じる平面は、図７に示すボウル１０４の円形ベース部分３０８の底部に亘って延在する。下側面１５０は、ボウル１０４の「底面」として代替的に称される場合もある。いくつかのケースにおいて、ボウル１０４の内部の底面１４４は、平面を貫通する軸Ｖに垂直ではない平面に交差してもよい。（図１２に示すように）底面１４４が屈曲している場合、この非垂直な平面は、ボウル１０４の長手方向軸線に垂直であるものとして、または、底面１４４と垂直でない平面との間の複数の接触点において、ボウル内の同じ高さにおいて底面１４４に交差するものとして画定され得る。例えば、図示した実施形態において、そのような平面は、円形である底面１４４の最下点によって平面に円形を形成しながら、底面１４４の曲部に接触するであろう。
【００６５】
図２Ｃの角度Ａは、約５°〜約１５°とすることができ、（これらの図面の実施例を含む）いくつかの典型的な用途においては、特に、約１０°とすることができる。代替的に、軸Ｌと軸Ｖとの間の角度は、重力方向（即ち、直接的に、垂直方向へ下方）から計測することができ、このケースにおいては、その方向と軸Ｌとの間の角度は、約１６５°〜約１７５°の間、またはより具体的には約１７０°となる。
【００６６】
底部ハウジング１１２は、長手方向軸線Ｌの傾斜に貢献することができる。なぜなら、底部ハウジング１１２は、長手方向軸線Ｌに沿って延在する傾斜シャフト１３２を備えることができるからである。モータ１６６およびベースユニット１０２の駆動軸１５４は、傾斜シャフト１３２に取り付けること、および傾斜シャフト１３２から延在することができる（図８〜図１０参照）。
【００６７】
側部ハウジング１１６は、底部ハウジング１１２に接続することができる。側部ハウジング１１６と底部ハウジング１１２との間の継ぎ目は、ガスケット、Оリング、または撥水接着剤によって封止することにより、液体がベースユニット１０２の内部に進入するのを防止することができる。いくつかの実施形態において、側部ハウジング１１６は、底部ハウジング１１２と１つのピースとして一体的に形成することができる。上側ハウジング１１４は、側部ハウジング１１６の上側端部上において、側部ハウジング１１６に接続することができる。いくつかの実施形態において、上側ハウジング１１４は、側部ハウジング１１６と一体的に形成することができる。上側ハウジング１１４は、例えば、ガスケット、Оリング、または接着剤をしようすることによって、側部ハウジング１１６に封止することもできる。
【００６８】
上側ハウジング１１４は、ボウル１０４を受容する凹部１１８を備えることができる。凹部１１８は、ボウル１０４の底面１５０を受容するように構成されるボウル、リング、またはネスト形状を含むことができる（図３Ａ〜図３Ｃ、図７、および図８参照）。上側ハウジング１１４は、少なくともユーザインタフェース１１０が配置される場所に透明または半透明材料を備えることもできる。従って、ユーザインタフェース１１０の要素は、特にユーザインタフェース１１０がバックリットである場合に、上側ハウジング１１４を通じて可視である。ユーザインタフェース１１０が接触感知式である実施形態においては、上側ハウジング１１４を通じてユーザインタフェース１１０にアクセス可能となるようにするため、上側ハウジング１１４は、少なくともユーザインタフェース１１０が配置される場所に、タッチインタフェースに繋がる材料を備えることができる。例えば、上側ハウジング１１４は、ユーザインタフェース１１０によって、人の手の指の接触を感知することができる材料を備えることができる。別の実施形態において、上側ハウジング１１４は、ユーザが、ユーザインタフェース１１０においてベースユニット１０２内を押下することにより、ボタンまたは上側ハウジング１１４の表面下にある抵抗タッチコンポーネントを操作することができるように、少なくとも部分的に可撓性を有するか、移動可能な材料を備えることができる。従って、上側ハウジング１１４は、粒子および流体がベースユニット１０２の内部に浸透するのを予防する封止された表面であることができる。上側ハウジング１１４は、小さな破片および汚れが集まりづらい、連続的な表面を有するため容易に清掃することもできる。
【００６９】
ユーザインタフェース１１０は、複数のボタンまたは他の接触感知式表面１１０−ａおよびディスプレイ１１０−ｂを備えることができる（図１Ａ参照）。ユーザインタフェース１１０のこれらの部分は、上側ハウジング１１４を通じて可視である。接触感知式表面１１０−ａを使用して、本明細書の他の箇所において図４〜図８に関連して更に記載するように、電子ユニット２５４用の命令を入力することができる。ディスプレイ１１０−ｂは、ユーザに、例えばミキサー装置１００の現在の操作設定等の情報を提供することができる。
【００７０】
上側ハウジング１１４は、スロープしていてもよい。即ち、上側ハウジング１１４の後部の高さがＨ２である一方、上側ハウジング１１４の正面は高さＨ１であることができる。このスロープは、ボウル１０４の長手方向軸線Ｌにおおよそ垂直であるため、長手方向軸線Ｌの傾斜にほぼ対応している。即ち、側部ハウジング１１６と上側ハウジング１１４との組み合わせは、全体的に傾斜しており、傾斜した上側ハウジング１１４の頂部によって全体的に画定される平面に全体的に平行である、凹部１１８を有するベースユニット１０２の外面を生成する。
【００７１】
ボウル１０４は、内面１３６を有する側壁１３４を備えることができる。ボウル１０４の上側端部は、（代替的にリップまたは上側端縁とも称される）リム１３８および複数のサイドグリップ１４０を備えることができる（図１Ａ〜図２Ｅ、図６〜図８、および図１１〜図１３参照）。ボウルの内面１３６は、全体的に、例えば図１１に図示するように、ボウル１０４の底面１４４からリム１３８とおおよそ同等の高さまでボウル１０４を貫通し、（代替的に中央ポストとも称される）中央カラム１４２に起因する材料用のリング形状または環状の容器とすることができる（図８、図１１および図１２参照）。中央カラム１４２の外面およびボウルの底面１４４は、ボウル１０４の内面１３６のパーツである。中央カラム１４２の外面は、ボウル１０４の底面１４４に連続しており、内面１３６は、図１２に示すように、リム１３８の内側端縁から中央カラム１４２の頂部まで曲線を成す。従って、ボウル１０４は、バントケーキの形状または輪状にロフトされたＵ字形状を有するものとしてもよい。
【００７２】
中央カラム１４２は、全体的に中空であって、頂部に、ボウル１０４の下側表面１５０における下側中央開口部１４８を貫通する上側中央開口部１４６を有することができる。中央開口部１４６，１４８の間に延在するチューブ１５２は、ベースユニット１０２から延在する駆動軸１５４を受容するように構成することができる。ボウル１０４の底部における下側中央開口部１４８は、駆動軸１５４のベース部分１６０における対応する相互係止部材１５８を係合するように構成される相互係止部材１５６を備えることができる。ミキサー装置１００を使用する間、相互係止部材１５６，１５８により、ボウル１０４をベースユニット１０２に取り外し可能に保持することができる。ボウル１０４は、ボウル１０４の相互係止部材１５６をベース部分１６０の相互係止部材１５８の間に挿入し、ボウル１０４を回転させることによって、ベース部分１６０に取り付けることができる。ベース部分１６０には４つの異なる係止部材１５８があるため、ボウル１０４は、少なくとも４つの異なる方向に取り付けることができ、それに応じて、係止部材１５６をベース部分１６０の係止部材１５８の間に挿入する。結果として、蓋１０８がボウル１０４に取り付けられ、かつボウル１０４がベースユニット１０２に取り付けられるとき、蓋１０８は、ベースユニット１０２に対して少なくとも４つの異なる方向に配置することができる。別の実施形態において、異なる数量の係止部材１５８を設けてもよい。
【００７３】
駆動軸１５４は、ボウル１０４の回転を生じさせることなく、ボウル１０４の中央カラム１４２内を回転するように構成することができる。駆動軸１５４の詳細な特徴は、図４、図５および図２１〜図２８に示す。駆動軸１５４は、遠位端部１６２および近位端部１６４を備えることができる。近位端部１６４は、ベースユニット１０２におけるモータ１６６に接続することができる（図８、図２１および図２２参照）。遠位端部１６２は、混合ツールを取り付けることができるアタッチメント面１６８を備えることができる。これらの実施形態におけるアタッチメント面１６８は、混合ツールの対応するギア面に係合するように構成されるギア面を備えることができる（例えば、図２３のギア面１７０を参照）。従って、駆動軸１５４が回転するとき、駆動軸１５４は、これらのギア面の係合によって混合ツールの運動を駆動させる。モータ１６６は、駆動軸１５４を直接的に駆動する故、ミキサー装置１００は、より損失のあるギア列、ベルトおよび他のメカニズムを使用して、それらの各混合ツールにトルクを発生させる従来型の混合装置よりも伝達効率の損失が低い。更に、本発明のミキサー装置１００の直結駆動構成により、混合ツールの運動においてより繊細な制御が可能となる。なぜなら、駆動軸１５４の運動における変化は、混合ツールに直接的かつ直ちに伝達されるからである。従って、緊急停止時において、混合ツールは、従来のミキサーよりも本発明によるシステムを使用する方が、潜在的に、より速く停止することができる。
【００７４】
アタッチメント面１６８は、混合ツール（例えば、回転混合ツール１０６）の螺旋状ギア面に係合するように構成される螺旋状ギア面を備えることができる。螺旋状ギア面は、いくつかの理由から、駆動軸１５４上のアタッチメント面１６８として有利である。第１に、螺旋状ギア面により、混合ツールが適切な配向および方向に取り付けられるようにすることができる。なぜなら、ツールは、駆動軸１５４上にねじ方向とは反対に螺合されないからである。第２に、ねじ切りにより、単純に上方に引くまたは押すことによって、ツールが除去されるのを防ぐことができる。従って、必要であるねじり運動は、ミキサー装置１００の使用中において、ツールが駆動軸１５４から剥離する可能性を減少させる。第３に、ねじ切りの方向は、ボウル１０４が回転するとき、回転混合ツール１０６の自然の傾向に対向して、駆動軸１５４からねじ切るように構成することができる。従って、駆動軸１５４は、（上から見た際に）反時計回りに回転し、回転混合ツール１０６も、ボウル１０４において反時計回りに回転し、かつ混合される材料に接触する。回転混合ツール１０６の移動に抵抗する材料によって印加される力は、螺旋状ギア面の係合を更に強化することによって、回転混合ツール１０６をアタッチメント面１６８に締結または保持する。従って、混合が完了すると、回転混合ツール１０６は、回転混合ツール１０６を混合運動の方向に（例えば、上から見た際に反時計回りに）回転させて、ねじ状の螺旋ギア面を緩めることによって、取り外し可能となる。一実施形態において、ミキサーは、混合するために反時計回りに稼働し、またアタッチメントを除去するために時計回りに稼働する。
【００７５】
ボウル１０４の中央カラム１４２の上端は、溝付き周面１７２を備えることができる（図２Ａ、図２Ｄ、図２Ｅ、図６、図１２および図１３参照）。溝付き周面１７２を使用して、溝付き周面１７２にフィットする静止した混合ツール１７４を係合かつ保持することができる（図１Ａ〜図１Ｃおよび図６〜図８参照）。回転混合ツール１０６が静止した混合ツール１７４を中心に稼働するとき、静止した混合ツール１７４は、ボウル１０４内の材料のバッフルとして、静止状態を保持する練り合わせツールであることができる。例えば、静止した混合ツール１７４は、回転混合ツール１０６が、生地を練り合わせるのに使用される練り合わせフックである場合に使用するのに有利である。いくつかの実施形態において、ミキサー装置１００は、静止した混合ツール１７４なしに使用することができる。
【００７６】
いくつかの実施形態において、回転混合ツール１０６は、複数のギア係合面を有することができる。ギア係合面の１つは、アタッチメント面１６８に係合可能であり、他は溝付き周面１７２に係合可能である（図１７Ｂおよび図１９Ｂ参照）。この特徴を有する混合ツールアタッチメントは、図１７Ａ〜図２０Ｂに関連してより詳細に説明する。
【００７７】
モータ１６６は、ベースユニット１０２に配置することができる。モータ１６６は、ロータおよびステータベースであることができ、それによって稼働中に発生する熱や騒音を低減する。モータ１６６は、底部ハウジング１１２の傾斜シャフト１３２に取り付けることができる。ベアリング１７６，１７８は、モータ１６６のロータと傾斜シャフト１３２との間に配置することができる（図５および図８参照）。従って、モータ１６６は、傾斜シャフト１３２を通る軸Ｌに整列する長手方向軸線を有することができ、モータ１６６、傾斜シャフト１３２、駆動軸１５４、ボウル１０４および回転混合ツール１０６は、軸Ｌに沿って同軸に整列することができる（図８参照）。
【００７８】
駆動軸１５４を介した回転混合ツール１０６の直結駆動は、モータ１６６の、回転混合ツール１０６にトルクを印加する効率を上げることができ、かつ、回転混合ツール１０６にトルクを伝達するベルトドライブ、ギア列またはコンパラブルドライブシステムがないことにより、ミキサー装置１００によって発生する騒音を減少させることができる。直結駆動構成は、回転混合ツール１０６の運動においてより精確な制御も可能とする。
【００７９】
更に、モータ１６６による熱の発生が減少させることにより、（例えば、ベントまたは他の放熱開口部なしに）ベースユニット１０２は、封止された外部表面を有することができ、それによって、ベースユニット１０２は、耐水性を有することができる。いくつかの実施形態においては、水がベースユニット１０２に浸水することなく、ベースユニット１０２全体を水で濯ぐ、または配置することができる。この特徴により、ベースユニット１０２は使用後により容易に掃除することができる。
【００８０】
次に、図１Ａ〜図１Ｅ、図６〜図８、および図１４Ａ〜図１５Ｃを参照すると、蓋１０８は、ボウル１０４のリム１３８に取り付けることができる。蓋１０８は、頂面１８０を備えることができる。頂面１８０は、ボウル１０４に取り付けられるとき、ボウル１０４に向けて凹没していてもよい。蓋１０８における開口部１８２は、頂面１８０を貫通し、下のボウル１０４内に開口していてもよい。複数のラッチング部分１８８は、蓋１０８から延在して、蓋１０８がボウル１０４に維持された状態を保つのに役立つ。
【００８１】
蓋１０８の頂面１８０は、漏斗またはボウル形状を形成することができる（図１４Ａ〜図１５Ｃ参照）。蓋１０８における開口部１８２は、漏斗またはボウル形状の底部において、少なくとも部分的に開口することにより、蓋１０８上の材料（例えば、流体）を開口部１８２に向けて、かつ開口部１８２を通じて指向かつ注入することができる。蓋１０８がボウル１０４に取り付けられる場合、頂面１８０は、傾斜していてもよく、ボウル１０４は、少なくとも４つの異なる方向においてベースユニット１０２に取り付けられる故、開口部１８２は、同様に、少なくとも４つの異なる方向に、ベースユニット１０２に関連して配置することができる。例えば、開口部１８２は、ベースユニット１０２の右側、左側、正面または後面に近接して配置することができる。図１Ｂは、開口部１８２がベースユニット１０２の右側の正面に向いているが、ボウル１０４（および開口部１８２）は、長手方向軸線Ｌを中心に９０°だけ相対的に回転した、少なくとも３つの別の位置においてベースユニット１０２に取り付けられている構成を示す。（開口部１８２がベースユニット１０２の正面端部１２８に向けて配置される場合と比較して）開口部１８２がベースユニット１０２の後方端部１３０に向けて配置され、ベースユニット１０２の底面１２２に対して上昇する場合でさえ、これら４つの各方向において、頂面１８０の漏斗またはボウル形状は、有利には、最下点において（図１５Ｃ参照）、蓋上の材料を開口部１８２内に集めるのに十分な形状および深度Ｄを有することができる。従って、ボウル１０４がベースユニット１０２に取り付けられ、かつベースユニット１０２が水平面下に配置されるとき、ボウル１０４上の蓋１０８の取り付け方向に関わらず、開口部１８２は、頂面１８０の最下点に配置することができる。この種類の位置換え可能な開口部は、多くの場合において有利である。例えば、従来型のミキサーの多くは、右利きのユーザにとって最も快適である頂部の開口部を有する一方、蓋１０８の開口部１８２においては、ユーザは、ボウル１０４のどちら側に開口部１８２を設けるか選択および変更することができる故、左利きのユーザも、ミキサー装置１００を自然かつ快適に使用することができる。更に、ユーザの中には開口部１８２がボウル１０４の正面または後面にある場合に最もアクセスしやすいと感じる場合もあるが、それらにも適応可能である。
【００８２】
図１Ｂおよび図１４Ｂに示すように、開口部１８２は、長手方向軸線Ｌまたはボウル１０４の中心点から横にずれた位置において、蓋１０８上に配置することができる。長手方向軸線Ｌからずれることにより、材料を開口部１８２に投入し、混合ツール１０６，１７４からボウル１０４内に延在する混合器具（例えば、ワイヤ２４８，２５０）の運動経路内に直接的に落下させることができる。いくつかの配置において、（ボウル１０４が平坦な水平面上に休止するとき）開口部１８２は、ボウル１０４の底面１４４の真上に配置されるものとして画定されるか、または、（ボウル１０４の回転方向に関わらず）ボウル１０４の底面１４４に交差する長手方向軸線Ｌと平行に延在する軸に沿って配置されるものとして画定される。横にずれた開口部１８２は、有利には、蓋１０８を通じて追加される材料が、後に材料をボウル１０４内に移動させるのが困難である回転混合ツール１０６の頂部に直接的に落下するのを防ぐことができる。従って、回転混合ツール１０６は、稼働中において、他のミキサー装置よりもきれいな状態を保つことができる。
【００８３】
蓋１０８の開口部１８２は、図１４Ａ〜図１４Ｂに示すように、不規則な部分的に屈曲した形状を有することもできる。開口部１８２の第１側面における開口部１８２の第１端部１８４は、開口部１８２の第２側面における第２端部１８６とは異なるサイズおよび形状を有することができる。第１端部１８４は、開口部１８２の第２端部１８６から上流側にあってもよい。これは、回転混合ツール１０６の回転方向と比較して、第２端部１８６を回転混合ツール１０６が通過する前に、第１端部１８４を回転混合ツール１０６の一部が通過することを意味する。従って、（上から見た場合に）回転混合ツール１０６が反時計回りに回転するように構成される場合、第１端部１８４は、第２端部１８６およびボウル１０４に対して時計回りに配置することができる。
【００８４】
開口部１８２の第１端部１８４は、開口部１８２の第２端部１８６の幅Ｗ２よりもより広い幅Ｗ１を有することができる（図１４Ａ参照）。このような開口部１８２の形状の不規則性により、回転混合ツール１０６が反時計回りに回転する、ミキサー装置１００の稼働中に、ボウル１０４の材料が開口部１８２を通じて飛散するか、または跳ねるのを防ぐのに役立つ。開口部１８２の下流側（即ち、第２端部１８６）が上流側（即ち、第１端部１８４）よりも小さい故、材料をボウル１０４から、回転混合ツール１０６によって材料が旋回する方向に注入することができる領域は、僅かしかない。しかしながら、開口部１８２を通じて、ボウル１０４に付加的な材料を容易に追加することができるように、第１端部１８４は、第２端部１８６に対して、更に拡張することができる。他の実施形態において、第１端部１８４は、（少なくとも平均で）第２端部１８６よりも（少なくとも平均で）頂面１８０内により深く配置することができる。従って、ボウル１０４内において回転される材料の曲線は、回転混合ツール１０６の移動方向における開口部１８２のオープニングに直接的に整列しなくてもよい。
【００８５】
図１５Ａ〜図１５Ｃは、図１４Ｂにおける区画線によって示されるように、蓋１０８の多様な断面図を示す。図１５Ａは、蓋１０８の中央側面断面図であり、図１５Ｂは、図１５Ａに垂直な中央側面断面図であり、図１５Ｃは、蓋１０８の頂面１８０の最下点において、図１５Ｂに平行である断面図である。
【００８６】
図１５Ａは、蓋１０８の頂面１８０の漏斗状の凹部が、蓋１０８の中心軸Ｎに対して不規則であるか、またはずれた曲線を有することができることを示す。従って、開口部１８２は、頂面１８０の最下点にありつつ、中心軸Ｎからずれていてもよい。図１５Ｂおよび図１５Ｃは、いくつかの断面図における頂面１８０が、その最下点が中心軸Ｎにある中心構成を含むことを示す。図１５Ｃは、開口部１８２がこの最下点に配置され得ることも示す。従って、頂面１８０の湾曲は、ずれた湾曲を有する区画と、ずれた湾曲を有しない区画とをクロスする。
【００８７】
図１４Ｂ〜図１５Ｃは、参照の便宜のために、Ｘ軸、Ｙ軸およびＺ軸を示す。この実施形態において、Ｚ−Ｘ平面に沿った頂面１８０の断面は、中心軸線Ｎに対するオフセット屈曲部を有し、Ｚ−Ｙ平面に沿った断面は、中央屈曲部を有する。結果として、頂面１８０上に落下する媒体は、Ｙ方向に、蓋１０８の中心軸線Ｎに向けて移動し、またＸ方向に、蓋１０８のオフセット最下点に向けて移動する。ボウル１０４に対する蓋１０８の回転位置に関わらず、これらの組み合わせられた漏斗状の運動が生じる。
【００８８】
いくつかの実施形態において、蓋１０８は、一対のラッチング部分１８８を備えることができる。ラッチング部分１８８は、蓋１０８の下側端縁１９０から下方に延在することができる。蓋１０８の下側端縁１９０は、蓋１０８がラッチング部分１８８によってボウル１０４に保持されるとき、ボウル１０４内に延在するように構成された可撓性のシール部分１９２を備えることができる（図８参照）。可撓性のシール部分１９２は、頂部リム１３８付近のボウル１０４の内面１３６に接触し、リム１３８の内周の周囲に取り外し可能なシールを形成して、材料が蓋１０８の接触する内周およびボウル１０４を通過するのを防ぐことができる。従って、蓋１０８がボウル１０４に連結するとき、可撓性シール部分１９２を、内面１３６に隣接するボウル１０４内に挿入することができる。可撓性シール部分１９２がボウル１０４内にあるため、可撓性シール部分１９２上に乗る材料は、ボウル１０４内に逆戻りしやすい傾向がある。
【００８９】
ラッチング部分１８８は、ボウル１０４のリム１３８の周囲を包囲し、ラッチング部分１８８とリム１３８との間に、リム１３８が側面グリップ１４０を有しない位置において、可逆性の妨害部を形成することによって、蓋１０８をボウル１０４に固定することができる。従って、ラッチング部分１８８は、複数の位置において、ボウル１０４に取り付け可能となる。この実施例においては、ラッチング部分１８８がボウル１０４の対向端部にフィットするため、蓋１０８は、長手方向軸線Ｌを中心に、相互に対して１８０°回転した２つの位置において取り付けることができる。
【００９０】
蓋１０８がボウル１０４上に押下されるとき、ラッチング部分１８８は、ボウル１０４のリム１３８の周囲に成型されるように構成される可撓性材料を含むことができる（例えば、各ラッチング部分１８８の一部がリム１３８の下側を中心に延在することにより、蓋１０８とボウル１０４との間に機械的相互係止を形成するリム１３８の周囲を包囲するラッチング部分１８８を示す図８を参照）。しかしながら、ラッチング部分１８８は可撓性を有するため、蓋１０８は、ラッチング部分１８８を外方に屈曲させ、蓋１０８を引き上げることによって、ボウル１０４から外すことができる。
【００９１】
（混合ツールアタッチメント）
ミキサー装置１００と共に、多様な回転混合ツール１０６を使用することができる。図１６Ａ〜図１６Ｂは、駆動軸１５４のアタッチメント面１６８に接続するように構成されるドーフックアタッチメント２０２を示す。ドーフックアタッチメントの一実施形態を、図１Ａ〜図１Ｃおよび図８の駆動軸１５４に取り付けられる混合ツールアタッチメント１０６として示す。ドーフックアタッチメント２０２は、本体部分２０６から延在する複数のドーフック２０４を備えることができる。ドーフック２０４は、材料をミキサー装置１００のボウル１０４の深部において練り合わせつつ、ボウル１０４における静止した混合ツール１７４（存在する場合）との接触を避けるように成形することができる。本体部分２０６は、内部アタッチメント面を備えることができる（図１６Ｂ参照）。内部アタッチメント面２０８は、駆動軸１５４の遠位端部１６２のアタッチメント面１６８を受容するように構成することができる。従って、内部アタッチメント面２０８は、駆動軸１５４のアタッチメント面１６８のスレッド上に螺合され得る螺旋状ギア面であることができる。内部アタッチメント面２０８上のスレッドの方向は、ドーフックアタッチメント２０２が、ボウル１０４内の材料と接触することによってトルクされるとき、ドーフックアタッチメント２０２を下方に移動させることができ、また、ドーフックアタッチメント２０２を反対方向に回転させることによって緩めることで、アタッチメント２０２を駆動軸１５４から取り外すことができる。
【００９２】
図１７Ａ〜図１７Ｂは、ミキサー装置１００用の別の混合ツールアタッチメントを示す。このアタッチメントは、フレンチウィスクアタッチメント２１０である。フレンチウィスクアタッチメント２１０は、２つのウィスク２１４および中央ギア２１６が配置された中央体２１２を備えることができる。図１８Ａ〜図１８Ｂは、内部パーツの詳細を示すために隠された中央体２１２を有するフレンチウィスクアタッチメント２１０を示す。
【００９３】
図１７Ｂは、フレンチウィスクアタッチメント２１０の中央体２１２が上側アタッチメント面２１８を有することができることを示す。上側アタッチメント面２１８は、駆動軸１５４の遠位端部１６２上に螺合されるように構成することができる。従って、駆動軸１５４が回転するとき、中央体２１２は、回転を生じさせるトルクを受容することができる。中央体２１２における中央ギア２１６は、溝付き周面１７２において、ボウル１０４の中央カラム１４２と相互係止し、かつそれを受容するように構成されるカラム係合面２２０を有することができる。従って、中央体２１２が中央カラム１４２に対して回転するとき、中央ギア２１６は、溝付き周面１７２に係合可能であり、またボウル１０４に対して固定することができる。中央ギア２１６は、ウィスク２１４に、それらの各ウィスクギア面２２４において係合するように構成される外部ギア面２２２も備えることができる。ウィスクギア面２２４は、いずれもフレンチウィスクアタッチメント２１０の中央体２１２に取り付けられたウィスクホルダ２２６の外面上に形成される。
【００９４】
ウィスクホルダ２２６は、中央体２１２によって、中央ギア２１６に対して保持されている間に、いずれもそれらの各長手方向軸線Ｋ１，Ｋ２に沿って移動することができる。これらの軸Ｋ１，Ｋ２に沿ったウィスクホルダ２２６の移動は、外部ギア面２２２のウィスクギア面２２４との係合を増加または減少させる。フレンチウィスクアタッチメント２１０が駆動軸１５４に接続されるとき、ワイヤ２２８は、ウィスクホルダ２２６から下方に延在して、ボウル１０４内に配置される。
【００９５】
フレンチウィスクアタッチメント２１０の使用中において、ウィスクホルダ２２６は、サンギアとしての役割を果たす中央ギア２１６の周囲を回転する遊星ギアとしての役割を果たす。中央ギア２１６の外部ギア面２２２上における歯の数量は、ウィスクギア面２２４上の歯の数量によって可分でなくてもよい。換言すると、外部ギア面２２２の歯の数量は、ウィスクギア面２２４の歯の数量の倍数でなくてもよい。従って、ウィスクホルダ２２６が中央ギア２１６を中心に回転するとき、ワイヤ２２８は、ウィスクホルダ２２６が中央ギア２１６を中心に完全に回転する度に、それらの回転軸線（即ち、軸線Ｋ１，Ｋ２）に対して異なる回転位置に配置され得る。例えば、フレンチウィスクアタッチメント２１０は、３５本の歯を有する中央ギア２１６を有し、またウィスクホルダ２２６は、いずれも１１本の歯を有する。従って、ウィスクホルダ２２６は、ウィスクホルダ２２６の個々の歯を２本の特定の中央ギア２１６の歯の間に、１回以上配置するために、中央ギア２１６を中心に複数回転する。ワイヤ２２８は、不定の角度でボウル１０４の同じ地点を通過して回転するため、各回転において、ボウル１０４の材料は多様な異なる方向から係合される故、混合における品質は改善される。
【００９６】
図１９Ａ〜図１９Ｂは、本発明の回転混合ツール１０６の別の実施形態を示す。このツールは、２つのウィスク２３４および中央ギア２３６を配置した中央体２３２を有するクッキーウィスクアタッチメント２３０である。図２０Ａ〜図２０Ｂは、隠された中央体２３２を有するクッキーウィスクアタッチメント２３０を示す。
【００９７】
フレンチウィスクアタッチメント２１０の図１７Ｂと同様に、図１９Ｂは、クッキーウィスクアタッチメント２３０の中央体２３２が、上側アタッチメント面２３８を有することを示す。上側アタッチメント面２３８は、駆動軸１５４の遠位端部１６２上に螺合するように構成することができる。従って、駆動軸１５４が回転するとき、中央体２３２は、回転を生じさせるトルクを受容することができる。中央体２３２における中央ギア２３６は、溝付き周面１７２においてボウル１０４の中央カラム１４２に相互係止し、かつそれを受容するように構成されたカラム係合面２４０を有することができる。従って、中央ギア２３６は、溝付き周面１７２に係合し、かつ、それによって、中央体２３２が中央カラム１４２に対して回転するとき、ボウル１０４に対して固定することができる。中央ギア２３６は、ウィスク２３４をそれらの各ウィスクギア面２４４において係合するように構成される外部ギア面２４２も備えることができる。ウィスクギア面２４４は、それぞれが、クッキーウィスクアタッチメント２３０の中央体２３２に取り付けられるウィスクホルダ２４６の外面上に形成される。
【００９８】
ウィスクホルダ２４６は、中央体２３２によって中央ギア２３６に向けて保持されつつ、それらの各長手方向軸線Ｊ１，Ｊ２に沿って、それぞれ移動することができる。ウィスクホルダ２４６のこれらの軸線Ｊ１，Ｊ２に沿った移動は、外部ギア面２４２とウィスクギア面２４４との係合を増加または減少させる。クッキーウィスクアタッチメント２３０が駆動軸１５４に接続されるとき、ワイヤ２４８，２５０は、ウィスクホルダ２４６から下方に延在して、ボウル１０４内に配置される。
【００９９】
クッキーウィスクアタッチメント２３０の使用中、ウィスクホルダ２４６は、サンギアとしての役割を果たす中央ギア２３６の周囲を回転する遊星ギアとしての役割を果たす。中央ギア２３６の外部ギア面２４２上における歯の数量は、ウィスクギア面２４４上の歯の数量によって可分でなくてもよい。換言すると、外部ギア面２４２の歯の数量は、ウィスクギア面２４４の歯の数量の倍数でなくてもよい。従って、ウィスクホルダ２４６が中央ギア２３６を中心に回転するとき、ワイヤ２４８，２５０は、ウィスクホルダ２４６が中央ギア２３６を中心に完全に回転する度に、それらの回転軸線（即ち、軸線Ｋ１，Ｋ２）に対して異なる回転位置に配置され得る。例えば、クッキーウィスクアタッチメント２３０は、３５本の歯を有する中央ギア２３６を有し、またウィスクホルダ２４６は、いずれも１１本の歯を有する。従って、ウィスクホルダ２４６は、ウィスクホルダ２４６の個々の歯を２本の特定の中央ギア２３６の歯の間に、１回以上配置するために、中央ギア２３６を中心に複数回転する。ワイヤ２４８，２５０は、不定の角度でボウル１０４の同じ地点を通過して回転するため、各回転において、ボウル１０４の材料は多様な異なる方向から係合される故、混合における品質は改善される。
【０１００】
図１７Ｂおよび図１９Ｂにおいて、Ｓとした矢印によって示すように、ウィスクアタッチメント２１０，２３０のワイヤ２２８，２４８，２５０は、それらの遠位端部において、相互に対して横方向に分離可能である。従って、遠位端部２５２間に空間があるか、かつ／または、遠位端部２５２は、可逆的に（例えば、弾性的に）引き離される。結果として、ワイヤ２２８，２４８，２５０は、それらの遠位端部において、相互に取り付けられるワイヤを有する従来型のウィスクよりも掃除が容易である。なぜなら、ワイヤ２２８，２４８，２５０の間の空間および表面は、それらが拡散するとき、従来型のウィスクにおけるよりもより容易にアクセスすることができるからである。破片、水および粘着物をより容易に流すか、またはふき取ることができるため、ワイヤ２２８，２４８，２５０の間の表面は、より丈夫で、耐錆性でもある。
【０１０１】
ワイヤ２２８，２４８，２５０は、相互に横切らず、または交差しなくてもよい。従って、ワイヤ２２８，２４８，２５０の遠位端部は、相互に横方向に隣接するか、または相互に横方向に接触してもよいが、ウィスクの長手方向軸線Ｊ１，Ｊ２，Ｋ１，Ｋ２に沿って重なり合わない。
【０１０２】
ウィスクアタッチメント２１０，２３０のワイヤ２２８，２４８，２５０は、約０．０９インチ〜約０．２インチの直径を有する。他の従来型ウィスクは、典型的には、より小さい直径を有しており、それ故、より湾曲、破壊、亀裂およびその他の望ましくない結果となりやすい。特定のレシピを作るとき、小径ワイヤは、混合タスクにおいてもより効率的ではない。例えば、メレンゲを作るとき、ウィスクアタッチメント２１０，２３０のワイヤ２２８，２４８，２５０の直径よりも小さな直径を有するワイヤは、それらがまだ材料内に空気を混ぜ込んでいるにも関わらず、混合される製品におけるタンパク質チェインを破壊する傾向がある。大径を有するワイヤは、効率的に空気を混ぜ込むが、タンパク質チェインへのダメージはより少なく、その結果、より高い品質をもたらす。
【０１０３】
ウィスクアタッチメント２１０，２３０は、いずれも、それらの長手方向軸線Ｋ１，Ｋ２，Ｊ１，Ｊ２に沿って、中央体２１２，２３２に関連して移動可能なウィスクホルダ２２６，２４６を有することができる。従って、ワイヤ２２８，２４８，２５０が、長手方向軸線Ｋ１，Ｋ２，Ｊ１，Ｊ２に沿って印加される負荷等の負荷下にあるとき、螺旋状ギア面（即ち、外部ギア面２２２，２４２およびウィスクギア面２２４，２４４）は、ウィスクホルダ２２６，２４６が、長手方向軸線Ｋ１，Ｋ２，Ｊ１，Ｊ２に沿って、全体的に上方に押し上げられると係合を増加させる。負荷が解除されると、ギア面は係合が減少し、ウィスクホルダ２２６，２４６は下方に移動する。長手方向軸線Ｋ１，Ｋ２，Ｊ１，Ｊ２に沿ったこの移動は、ウィスクアタッチメント２１０，２３０におけるギアの「浮動係合」または「可変係合」と称することができる。なぜなら、ウィスクホルダ２２６，２４６の中央ギア２２２，２４２との係合は、可変であり、またウィスクホルダ２２６，２４６は、長手方向軸線Ｋ１，Ｋ２，Ｊ１，Ｊ２に沿って上下に「浮く」ことができるからである。いくつかのケースにおいて、ウィスクホルダ２２６，２４６の中央ギア２２２，２４２に対する運動の速度または加速度は、中央ギア２２２，２４２に対するウィスクホルダ２２６，２４６の位置に影響する。
【０１０４】
図１７Ｃおよび図１９Ｃは、ボウルプランジャロッド２４３を示しており、それに沿ってウィスクホルダ２２６，２４６が移動する。ロッド２４３のバイアスされたボウルプランジャ２４５により、ウィスクホルダ２２６，２４６を分離するのに十分な力が加わると、ウィスクホルダ２２６，２４６を中央体２１２，２３２に、ロッド２４３内に引っ込むボウルプランジャ２４５によって取り外し可能に取り付けることができる。これにより、混合ツールの残部から分離されるウィスク２１４，２３４の掃除が容易になる。
【０１０５】
ギア係合を移動かつ変更する能力により、ウィスクアタッチメント２１０，２３０がボウル内の少量の媒体を混合する能力を改善することができる。いくつかの実施形態において、回転混合ツール１０６は、低負荷時には、ボウル１０４内に延在し、ボウル１０４の底面１４４に接触するように構成することができる。従って、ウィスクアタッチメント２１０，２３０は、中央カラム１４２を中心に回転するとき、底面１４４に沿って掻き取るか、または乗っかることができる。付加的な負荷が加わると、ウィスクホルダ２２６，２４６は、底面１４４から離れることによって、ワイヤ２２８，２４８，２５０上の負荷を低減させると同時に、ウィスクホルダ２２６，２４６がギア係合の増加により混合し続ける能力を増加させる。従って、少量の材料がボウル１０４内にあるとき、ワイヤ２２８，２４８，２５０は、これらの材料を効率的に接触かつ混合すると共に、より大きな、よりデリケートでないタスクを取り扱うことも可能となる。例えば、ウィスクアタッチメント２１０，２３０は、ワイヤ２２８，２４８，２５０の深部までの延在や底部への接触により、ボウル１０４内のたった１個の卵白からメレンゲを作ることができる。図１７Ｃおよび図１９Ｃは、ワイヤ２２８，２４８，２５０がボウル１０４内に延在して、ボウル１０４の底面１４４に接触する方法も示す。ウィスクに十分な力が加えられると、ウィスクは、ロッド２４３に沿って、中央体２１２，２３２内に上方に引っ張られることにより、中央体２１２，２３２におけるギアの係合を増加させることができる。
【０１０６】
螺旋状ギア面（即ち、外部ギア面２２２，２４２およびウィスクギア面２２４，２４４）は、従来型の直線ギアと比較して、ギアによって発生する騒音を減少させるのにも有利である。
【０１０７】
（ツールアタッチメントの検出および制御）
ベースユニット１０２は、電子ユニット２５４を収容することができる（図４〜図８参照）。電子ユニット２５４は、パワーエレクトロニクスおよび制御装置を備えることができる。パワーエレクトロニクスは、モータ１６６およびユーザインタフェース１１０に電力を供給することができる。制御装置は、センサおよびユーザインタフェース１１０を介して情報を受信して、ミキサー装置１００の操作を制御することができる。制御装置は、コンピュータシステムを含むことができ、コントロールユニットと称される（図３５および以下の関連する記載を参照）。電子ユニット２５４は、モータ１６６および本明細書に記載の他の電子要素に電力および制御信号を供給するように繋げられてもよい。そのようなワイヤリングは図面から省略した。
【０１０８】
図８、図２１および図２２に示すように、モータ１６６は、ベース部分１６０において、駆動軸１５４に直接的に接続してもよい。駆動軸１５４は、駆動軸１５４の遠位端部１６４におけるモータ係合面２５８およびロータ２５６の駆動軸係合面２６０において、モータ１６６のロータ２５６に接続することもできる。駆動軸１５４は、駆動軸係合面２６０において、ロータ２５６内に挿入することができる。駆動軸１５４のベース部分１６０は、駆動軸１５４の周囲を延在することができ、また駆動軸１５４の回転時には静止状態を保つよう構成することができる。いくつかの実施形態においては、ベース部分１６０を上側ハウジング１１４に取り付けて、駆動軸１５４に対して静止状態を保つことができる。ロータ２５６は、モータ１６６のステータ２６２によって駆動可能である。ブラシレスである、ロータ−ステータタイプのモータ１６６と、ミキサー装置１００とを使用することにより、熱および騒音の発生を減少させることができる。これにより、ベースユニット１０２は、耐水性となり、また稼働するための熱気用のベントが必要ではなくなるため、静かな稼働も可能となる。
【０１０９】
いくつかの実施形態においては、ステータ２６２を電子ユニット２５４によって制御して、ロータ２５６を二方向（例えば、時計回りおよび反時計回り）に回転させることができる。一般的に、電子ユニット２５４は、混合を目的として、１次方向にモータ１６６を駆動するが、緊急時や、電子ユニット２５４によって「停止」すべきことを示す信号が検出された場合等のいくつかのケースにおいては、モータ１６６を反対方向に駆動して、迅速に回転を停止する。これは、モータ１６６の逆転制動と称される。異なる状況において、混合ツールアタッチメント１０６は、駆動軸１５４上で固着し、モータ１６６の通常の回転方向が逆転することにより、ユーザが混合ツールアタッチメント１０６を除去するのに役立つ。ロータ−ステータタイプのモータ１６６をこれらの図面に示すが、言うまでもなく、ブラシベースモータ等の別の形態のモータをベースユニット１０２において使用することができる。
【０１１０】
次に、図２３〜図２８は、駆動軸１５４の多様な特徴を詳細に示すものである。駆動軸１５４は、相互に接続されるように構成された上側駆動軸２６４および下側駆動軸２６６を備えることができる（図２３および図２８参照）。図２３の分解図および図２８の断面図において示すように、駆動軸１５４の内部は、２個の磁石２７０を運搬する磁石キャリア２６８を備えることができる。いくつかの配置において、磁石キャリア２６８は、対向端部に接続される磁石２７０を有する中実軸を備えるか、または単一の、磁石キャリア２６８の長さに沿って延在する大きな磁石を備えることができる。しかしながら、大きく、固体磁石を有することによって、磁石２７０の重量やコストを増加させることなく、一方が駆動軸１５４の遠位端部１６２に近接し、他方が駆動軸１５４の近位端部１６４に近接するように、磁石キャリア２６８は、２個の磁石２７０を有する方が有利である。
【０１１１】
磁石キャリア２６８は、付勢部材２７２、下側駆動軸２６６、および磁石キャリア２６８から周的に延在するノード２７４の間の接触によって下側駆動軸２６６に対して、付勢部材２７２（例えば、バネ）によって付勢されてもよい。従って、磁石キャリア２６８は、上側駆動軸２６４および下側駆動軸２６６内に形成される中央チャンバ２７６を通じて軸方向に移動することができる。
【０１１２】
図２５は、図２４の上側駆動軸２６４の断面図を示す。中央チャンバ２７６は、磁石キャリア２６８を駆動軸１５４内に保持し、かつ整列させるのに役立つ複数のガイド部材２７８を備えることができる。図２６Ｂおよび図２７は、磁石キャリア２６８を誘導するのに使用される下側駆動軸２６６のガイド部材２８０も示す。図２８は、ガイド部材２７８，２８０内に配置された磁石キャリア２６８を示す。下側駆動軸２６６の頂面図である図２６Ｂに示すように、ガイド部材２８０は、中央チャンバ２７６を中心に円周方向に離間して、磁石キャリア２６８を複数の方向から支持することができる。上側駆動軸２６４のガイド部材２７８も円周方向に配置することができる。図２６Ｂおよび図２７は、駆動軸１５４が組み立てられるとき、支持および付勢部材２７２用の保持面としての役割を果たすように構成される中央チャンバ２７６内の保持面２８２も示す（図２８参照）。
【０１１３】
図２８は、駆動軸１５４の内側部分の接続および組み立てを描写する駆動軸１５４の断面図である。駆動軸１５４の遠位端部１６２または近位端部１６４において、これらの各端部１６２，１６４に近接して配置される磁石２７０による磁場が存在するとき、中央チャンバ２７６内において、磁石キャリア２６８は、軸方向に移動することができる。図２８は、中立位置における磁石キャリア２６８を示すが、磁場が遠位端部１６２に導入されるとき、磁石キャリア２６８における磁石２７０の極性に応じて、磁石キャリア２６８は、遠位に（即ち、遠位端部１６２に向けて）取り付けるか、または近位に（即ち、近位端部１６４に向けて）阻止することができる。磁石キャリア２６８のこの運動により、付勢部材２７２を圧縮または拡張する。磁場が取り除かれると、付勢部材２７２は、磁石キャリア２６８を中立位置に戻す。
【０１１４】
多様な混合ツールアタッチメント（例えば、ドーフックアタッチメント２０２、フレンチウィスクアタッチメント２１０およびクッキーウィスクアタッチメント２３０）は、磁石部分を備えることができる。例えば、混合ツールアタッチメントは、磁性体部分（例えば、本体部分２０６、中央体２１２または中央体２３２）を備えることができ、磁石は、（例えば、図１６Ｂ、図１７Ｂおよび図１９Ｂにおける駆動軸係合面２８４上またはその中の）混合ツールアタッチメントまたは混合ツールアタッチメントの別の要素（例えば、ウィスクホルダ２２６，２４６または中央ギア２１６，２３６）に取り付けられる。アタッチメントが駆動軸１５４の遠位端部１６２に接続されると、磁石部分を有する混合ツールアタッチメントは、駆動軸１５４を通じて磁場を誘発させ、またこの磁場が、駆動軸１５４内の磁石キャリア２６８の運動を誘発させる。
【０１１５】
電子ユニット２５４は、ベースユニット１０２の感磁センサに接続することができる。図８〜図１０および図２２に示すホール効果センサ２８６は、ミキサー装置１００における感磁センサの一実施例である。ホール効果センサ２８６は、下側ハウジング１１２の傾斜シャフト１３２の頂部において、駆動軸１５４の下に長手方向軸線Ｌに沿って配置することができる。磁石キャリアが駆動軸１５４内に移動すると、ホール効果センサ２８６は、磁気キャリア２６８における磁石２７０の磁場における変化を伝達することができる。従って、ホール効果センサ２８６を使用して、駆動軸１５４に接続されるアタッチメントを検出することができる。磁場における変化は、磁石キャリア２６８とホール効果センサ２８６との間の距離または磁石キャリア２６８の運動に相関し、この場合、ホール効果センサ２８６の読取り値を使用して、少なくとも１個の磁石２７０とホール効果センサ２８６との間の距離を決定することができる。
【０１１６】
駆動軸１５４に取り付け可能な多様な混合ツールアタッチメント（例えば、ドーフックアタッチメント２０２、フレンチウィスクアタッチメント２１０およびクッキーウィスクアタッチメント２３０）は、いずれも、異なる強度を有するか、各アタッチメントが接続されると、駆動軸１５４（および磁石２７０）から異なる距離に配置されるように構成される磁石部分を備えることができる。これは、ホール効果センサ２８６が、運動および駆動軸１５４における磁石キャリア２６８の磁場を誘発させる位置決めにおける、その特有の効果によって、異なる各混合ツールアタッチメントのために異なる磁場を検出できることを意味する。
【０１１７】
結果として、電子ユニット２５４は、どの混合ツールアタッチメントが駆動軸１５４に接続しているかに基づいて、異なるように稼働する。練り合わせフックを回転させるためによりパワーが必要となり、電子ユニット２５４は、パワー設定を増加するか、またはフックアタッチメントが検出されると、より良い練り合わせを容易にするために、モータ１６６のために他の操作設定を行う。また、（例えば、ホイップクリームまたはメレンゲを作るために）薄いワイヤビーターまたはウィスクアタッチメントが配置される場合、電子ユニット２５４は、モータ１６６をより低いパワーにセットすることができる。従って、磁気センサを介して検出されるアタッチメントの形態は、電子ユニット２５４によって製造されたモータ１６６の制御設定に直接的に影響する。もしアタッチメントが検出されない場合、電子ユニット２５４は、ミキサー装置１００を、例えば、（混合ツールが取り付けられていないシナリオに相関する）駆動軸１５４の回転を防止する設定や、（デフォルトのアタッチメントが磁石要素を有しないシナリオに相関する）デフォルトパワーおよび速度設定等の予め決定された設定にセットする。いくつかの実施形態において、電子ユニット２５４は、どのアタッチメントが検出されたかを示すユーザインタフェース１１０に、アタッチメントが検出されなかったこと、および／またはモータ１６６が故障しているという信号を出力することもできる。
【０１１８】
関連する方法における実施形態によれば、ミキサー装置の混合ツールアタッチメント地点に取り付けられるように構成される混合ツールアタッチメントに磁石要素を有するミキサー装置を提供することができる。混合ツールアタッチメントが混合ツールアタッチメント地点に取り付けられるとき、ミキサー装置におけるセンサは、磁石要素によって発生する磁場を検出することができる。ミキサー装置の制御電子は、検出された磁場に応じて、ミキサー装置の操作設定（例えば、モータ速度または電力）を調整することができる。いくつかの実施形態において、操作設定は、（例えば、混合ツールアタッチメントが除去され、十分な磁場が検出されない場合、）ミキサーを切ることを含むことができる。いくつかの実施形態において、制御電子は、異なる混合ツールにおける異なる強度または磁石要素の位置（あるいは磁石要素の不在）に基づいて、異なる混合ツールを区別することができる。
【０１１９】
検出される混合ツールアタッチメントの形態は、モータ１６６の操作設定に影響する。電子ユニット２５４は、特定の混合ツールアタッチメントの操作における上限および／または下限を設定して、混合ツールアタッチメントまたは混合装置１００の他の部品への損傷を防ぐことができる。例えば、練り合わせドーフック等の丈夫で分厚いツールアタッチメントがモータ１６６に接続されている場合、フックの運動を制御するのにユーザが使用可能なパワー設定は、モータ１６６がフックに高レベルのトルクを供給することができるよう上限が高い。フレンチウィスク等のより繊細なツールがモータ１６６に接続されている場合、使用可能なパワー設定は、フレンチウィスクが、ウィスクのワイヤに屈曲させるか、損傷を与える材料において高いパワー設定で不適切に使用されないように、より低い上限を含む。同様に、ツールがフックである場合、フックの回転速度における上限は、ウィスクと比較してより低い。なぜなら、多くの用途において、フックは、ウィスクよりもより低い回転速度でより有利に使用することができるからである。
【０１２０】
別の実施例において、ミキサー装置１００上でどのツールが検出されたかに応じて、モータ１６６の操作の持続期間における制限を設定することができる。例えば、練り合わせフックが検出されると、電子ユニット２５４は、特定の形態の生地のための練り合わせ時間における好適な長さに対応する予め決定された時間の長さの後、モータ１６６を制御して、自動的に停止させることができる。ウィスクが検出されると、停止時間は適宜に調整されるか、または不能となる。
【０１２１】
更に別の実施例において、ユーザは、ユーザインタフェース１１０または別の入力装置を使用して作るレシピを選択することができる。好適なアタッチメントが検出されるまで、電子ユニット２５４がモータ１６６の運動を防止して、そのレシピのステップを完了するように、レシピを作るために特定の形態の混合ツールアタッチメントを必要とする。同様に、いくつかのレシピは、各ステップにおいて異なる形態のツールアタッチメントを必要とするステップを有することができる。従って、正しくないツールが誤った時間に使用されないように、電子ユニット２５４の制御電子は、各プロセスのステップにおいて、好適なアタッチメントが検出されたか否かをチェックすることができる。
【０１２２】
（即時停止特性）
いくつかの実施形態において、電子ユニット２５４を、ミキサー装置１００上に配置した接触センサ２８８にリンクさせることができる。図２９は、複数の接触センサ２８８−ａ，２８８−ｂを有するミキサー装置２９０のブロック図である。図２９に示すように、接触センサ２８８−ａをユーザインタフェース１１０に配置するか、または、接触センサ２８８−ｂを回転混合ツール１０６（即ち、混合部材）に配置し、電子ユニット２５４と電気的に通信させることができる。電子ユニット２５４は、モータ１６６と制御通信することができ、その代わりに、回転混合ツール１０６を回転させるように構成される。いくつかの配置において、接触センサ２８８−ａは、ユーザインタフェース１１０における手の接触を検出することができる。また、いくつかの構成においては、接触センサ２８８−ａは、ミキサー装置の上側ハウジング１１４上の何処かにおける接触を検出することができる。
【０１２３】
本発明の一態様の方法によれば、電子ユニット２５４は、接触センサ２８８−ａ，２８８−ｂによって変換される信号に基づいて、モータ１６６を制御することができる。センサ２８８−ａ，２８８−ｂは、接触感知式であってもよく、それ故、ユーザインタフェース１１０の少なくとも一部または回転混合ツール１０６上における人の手の接触を検出することができる。一実施例において、モータ１６６は、センサ２８８−ａ，２８８−ｂのうち一方が人の手に接触するまで、回転混合ツール１０６を駆動させることができる。接触センサ２８８−ａによる接触の検出は、ユーザが、モータ１６６の緊急停止を始めることを望んでいることを示す。また、接触センサ２８８−ｂによる接触の検出は、手がボウル１０４内にあり、それ故、少なくとも手が取り除かれるまで、混合ツール１０６の運動を停止すべきであることを示す。接触センサ２８８−ａ，２８８−ｂによって手を検出すると、電子ユニット２５４は、モータ１６６の電源を落とすか、モータ１６６を制動する。モータ１６６を制動させる一方法は、電子ユニット２５４によりモータ１６６を迅速に逆転させるものである。典型的には、この種類の制動により、１／３回転以内に（少なくとも、本明細書の何処かに記載のロータ−ステータ形態のモータである）モータ１６６を停止させることができる。
【０１２４】
いくつかの実施形態においては、ミキサー装置１００に接触センサ２８８−ａ，２８８−ｂのうち一方のみを設けることができる。従って、上側ハウジング１１４、ユーザインタフェース１１０または回転混合ツール１０６のうち一面のみを接触感知式にすることができる。いくつかの実施形態において、回転混合ツール１０６は、ボウル１０４内に延在する混合器具（例えば、ワイヤまたはフック）を備えることができ、また、接触センサ２８８−ｂは、人による混合器具の何らかの部品への接触を変換することができる。
【０１２５】
いくつかの状況では、モータあるいは混合ツールアタッチメントがかなり詰まっているか、失速するか、または、例えば人の腕または手がボウルに配置されるとき、あるいは混合される媒体の濃度が高すぎるか、モータを正確に操作するには重すぎるとき等の重大な妨害を受ける場合に、ミキサー装置１００の即時停止が必要である。従来型のミキサーは、この方法によって即時停止することができず、それらのモータは、手動で停止させるか、または機械的特性（例えば、過熱）が現れるまで、これらの状況下において操作し続けるよう試みるであろう。本発明のミキサー装置１００の実施形態は、コントロールユニットを使用して、モータの運動および／または混合ツールアタッチメントと共に、モータの出力を監視、計算または計測し、激しい詰まり、失速または重大な妨害が生じたことを検出することができる。これらの状況のうちの１つを検出すると、コントロールユニットは、ミキサーへの損傷または他の望ましくない、または危険な状況を制限または予防するためにモータを停止または制動をする。
【０１２６】
（自動制御方法）
従来型ミキサー器具は、練り合わせサイクルの間、生地が電子モータ上に配置される荷重プロファイルを監視することによって、自動的に生地を練り合わせるのに使用することができる。生地の「発展」段階の間、一定速度にある、生地を混合するのに必要とされるパワーは、徐々に増加する。生地が「発展」段階から「落下」段階に移行すると、一定の速度で生地を混合し続けるのに必要とされるパワーは、減少し始める。パンの製造において、最も良い結果となるためには、練り合わせ工程は、「発展」段階から「落下」段階にパンが移行するときに、終了すべきである。
【０１２７】
生地の荷重プロファイルを観測するのに最も正確かつ理想的な方法の１つに、モータの出力を監視する方法が挙げられる。これは、モータを練り合わせアームに連結し、生地の「発展」段階から「落下」段階への変換によって生じる荷重プロファイルの正確な状況をもたらすトルクトランスデューサを使用することによって達成することができる。しかしながら、フードプロセッサ等の家電製品におけるトルクトランスデューサは、コストおよびサイズにより非実用的である。
【０１２８】
従来型ミキサーは、生地の荷重プロファイルを観測する手段として、電気モータへの入力電圧（即ち、電力）を監視するが、この方法は欠点を有する。モータへの入力は、モータにおける消費により（即ち、入力に対する出力の比率である、モータ効率の不完全性により）、モータからの出力と同等ではない。不運にも、モータ効率は、モータの温度が変化すると変化する故、出力は、既知のベースとなるモータ効率値を使用して、常に容易に決定されるわけではない。例えば、モータ温度は、ミキサーが練り合わせサイクルを完結すると上昇する。練り合わせサイクル中のモータにおけるこの変化は、観測された荷重プロファイルの結果を曲解し得る。
【０１２９】
この欠陥を克服するため、本発明のミキサー２９２は、ミキサーモータ２９６の温度を監視する温度センサ２９４を装備している（図３０参照）。モータ温度情報は、モータ２９６の変化効率を補填するのに使用されるコントロールユニット２９８（例えば、電子ユニット２５４）によって読取可能である。これは、観測された荷重プロファイルにおけるモータ効率に対する未知の変化を取り除くことにより、モータ出力のより正確な計算を提供することができる。図３４および関連する以下の記載を参照されたい。
【０１３０】
従って、コントロールユニット２９８は、モータ２９６を、モータ２９６の温度を探知する温度センサ２９４に係合することができる。モータ２９６が稼働中に、コントロールユニット２９８は、温度センサ２９４を使用して、モータ２９６の温度を監視することができる。やがて、モータ２９６の出力は、コントロールユニット２９８によって、温度範囲に亘るモータの効率に関する情報を参照することによって、決定される。モータ２９６が加熱され、より効率的ではなくなると、モータの効率をより正確に探知することによって、混合ツールに伝達されるモータ２９６の出力は、より一定となるよう制御可能となる。更に、コントロールユニット２９８は、入力モータ電圧および測定されたモータ電流を探知して、モータ２９６の出力を計算することができる。この計算された出力を使用することにより、リアルタイムで、混合される生地の荷重プロファイルを観測することができる。この計算された（温度補償付き）出力は、典型的に、入力モータ電圧のみを使用する場合よりもより正確である。
【０１３１】
また、混合ツールアタッチメント（例えば、ミキサー装置１００）用の直結駆動を有するミキサー装置には、モータと練り合わせアームとの間にギア列を配置しない。多くの電気モータと同様に、ギア列は、経時的に変化する効率性を有する。本発明によるミキサー装置におけるギア列の除去により、装置の能力を強化させて、より正確な出力を計算することができる。なぜなら、直結駆動構成は、システムにおける変数の変化が少ないことを意味するからである。
【０１３２】
（蓋の検出および制御）
いくつかの実施形態において、ミキサー装置１００は、蓋検出システム３００を備えることができる。図３１Ａ〜図３１Ｂに示すように、蓋検出システムは、ミキサー装置１００の蓋１０８のラッチング部分１８８に埋め込まれるか、取り付けられる磁石要素３０２を備えることができる。１つ以上のラッチング部分１８８が、磁石要素３０２を有することができる。磁石要素３０２は、スイッチポスト３０６上に配置されたスイッチ３０４によって感知される磁場を発生させる。例えば、スイッチ３０４は、感磁リードスイッチであってもよい。スイッチポスト３０６は、ベースユニット１０２の蓋検出部分として称される。いくつかの配置において、スイッチポスト３０６は、ベースユニット１０２からボウル１０４の頂部に向けて延在するアームまたはウイングを備えることができる。
【０１３３】
磁石要素３０２を有する蓋１０８が、係止位置においてボウル１０４に取り付けられるとき、スイッチ３０４がトリガーとなり、（例えば、ベースユニット１０２における電子ユニット２５４の一部として）ミキサー装置１００のコントロールユニットによって蓋１０８の存在が検出される。係止位置は、スイッチ３０４から予め決められた距離内に磁石要素３０２を必要とする。
【０１３４】
蓋１０８が存在するか否かは、電子ユニット２５４によるミキサー装置１００の操作に影響する。例えば、スイッチ３０４によって蓋１０８が検出されないと、モータ１６６および／または回転混合ツール１０６の回転は妨げられる。代替的に、ユーザインタフェース１１０における出力ディスプレイまたはインジケータ要素を介してメッセージまたは警告を表示することができる。蓋１０８が検出されると、ミキサー装置１００は、通常に稼働する。磁石要素３０２は、蓋１０８の複数のラッチング部分に配置することにより、蓋１０８の存在を、蓋１０８においてボウルに取り付けられた複数の異なる位置において、検出することができる。図３１Ｂは、ポスト３０６および磁石要素３０２の詳細図を示す。また、図３２は、ポスト３０６、埋設された磁石要素３０４およびスイッチ３０４の側面断面図を示す。いくつかの実施形態においては、ラッチング部分１８８が蓋のリム１３８の周囲に係合されるとき、または蓋１０８がボウル１０４に取り外し可能に取り付けられ、かつ／または、横方向への移動あるいはボウル１０４の長手方向軸線Ｌに沿った移動によって、ボウルから自由に取り除くことができないとき、蓋１０８は、係止位置に配置されていると見なすことができる。
【０１３５】
いくつかの実施形態において、蓋検出システム３００は、ボウル１０４に一体化されたスイッチ３０４を備えることができる。例えば、スイッチ３０４は、ボウル１０４のリム１３８内またはその付近に埋設することができる。スイッチ３０４用の電気リードは、ボウルの下方へと、（例えば、図７に示すように、ボウル１０４の円形ベース部分３０８における）ベースユニット１０２とボウル１０４との間の電気接点に延在することができる。電気接点は、有利には、周方向に、ボウル１０４のベースを中心に延在することにより、ボウル１０４の回転部分に関わらず、ベースユニット１０２によって接触がもたらされる。
【０１３６】
別の実施形態において、スイッチ３０４は、蓋１０８の存在有無を検出するように構成される非磁性センサを備えることができる。例えば、センサは、蓋１０８を光学的に検出するように構成される光学センサか、蓋１０８のアタッチメントによってボウル１０４にトリガーされる圧力スイッチであることができる。
【０１３７】
本発明の多様な構造および装置は、本発明の方法の要素および特徴を例示する。図３３は、食品混合機械における材料の混合を改善するための方法３１０の実施例を表すフローチャートを示す。方法３１０は、ベースユニットと、ベースユニットに取り付けられるボウルと、ボウルに配置された混合ツールと、混合ツールをボウルに対して回転させるように構成されるモータと、を有し、このボウルが長手方向軸線を有する食品混合機械を準備するステップを含むことができる（ブロック３１２参照）。更に、方法３１０は、食品混合機械のベースユニットを、ボウルの長手方向軸線が水平面に対して非垂直となるよう、水平面上に配置するステップと、材料をボウルに挿入するステップと、続いて、モータを使用して混合ツールを回転させることにより材料を混合するステップと、を含むことができる。
【０１３８】
この方法３１０において、材料は、重力により傾き、ボウルの片側に沈殿する。混合ツールは、ベースユニットに取り外し可能に取り付けることができる。方法３１０は、更に、混合ツールを、モータによって回転可能な駆動軸に取り付けるステップを含むことができる。混合ツールは、ベースユニットに取り付けられるか、またはベースユニットから取り外されたときに回転する。ベースユニットを配置するステップは、水平面に対して、ボウルの長手方向軸線を約７５°〜約８５°の角度に配置することを含んでもよい。ベースユニットを配置するステップは、ベースユニットの底面を水平面上に配置することを含んでもよい。ベースユニットを配置するステップは、ベースユニットの複数の脚部を水平面上に休止させることを含んでもよい。混合ツールは、材料を混合する間に、ボウルの底面に接触するように構成することができる。食品混合機械の駆動軸は、ボウルを通じて挿入することができる。
【０１３９】
図３４は、本発明による別の方法３２０を表すフローチャートである。この方法３２０を使用して、モータの入力および温度に基づいて、モータ（例えば、モータ１６６）を制御することができる。この方法は、ブロック３２２に示すように、混合ツールアタッチメントに接続されるモータと、モータ用の入力センサと、モータ用の温度センサと、を有し、混合ツールアタッチメントが混合容器内に延在する混合装置を準備するステップを含むことができる。入力センサは、例えば、入力電圧または電流センサを備えることができる。ブロック３２４に示すように、方法３２０は、モータにより混合ツールアタッチメントを回転させるように操作するステップも含むことができる。モータの稼働中において、この方法は、モータの稼働中に温度センサを使用してモータの温度を測定するステップと、入力センサを使用してモータの入力電力を測定するステップと、続いて、モータの入力電力および温度を使用してモータの出力電力を計算するステップと、を含むことができる（ブロック３２６，３２８および３３０）。この方法は、更に、ブロック３３２に示すように、算出された出力電力に基づいて、モータの操作設定を調整するステップを含むことができる。操作設定は、モータの入力設定であってもよい。算出された出力電力は、例えば、混合ツールアタッチメントの特定の移動率を表すことができ、出力電力が降下しすぎると、モータの操作設定を強めて、所望の出力レベルを維持することができる。
【０１４０】
（遠隔装置および無線制御システム）
ミキサー装置１００のいくつかの実施形態は、モータ１６６の操作設定を制御するように構成されるコントロールユニットを有することができる。コントロールユニットは、ミキサー装置１００の電子ユニット２５４の一部として、コントロールユニットに接続される無線通信インタフェースに沿って組み込むことができる。無線通信インタフェースは、Ｗｉ−Ｆｉ、ＢＬＵＥＴＯＯＴＨ（登録商標）、ＺＩＧＢＥＥ（登録商標）、携帯データ通信（例えば３Ｇまたはロングタームエボリューション（ＬＴＥ））、または、別の装置から電子ユニット２５４へのデータの通信を可能にする同様の無線通信等の無線通信用のインタフェースを含むことができる。コントロールユニットは、ミキサー装置１００の外部の装置またはミキサー装置１００の一部である装置から情報を受信することができる。受信した情報は、モータ用の操作パラメータを含むことができる。操作パラメータは、例えば、モータの電力レベル、モータまたは混合ツールアタッチメントの目標回転速度、混合持続時間、および、モータ１６６を操作するにあたり実施される他の値等の情報を含むことができる。一実施例において、操作パラメータは、モータ１６６の操作を制御する際に、コントロールユニットによって実行される複数のプロセスステップを含むことができる。例えば、ユーザがミキサー装置１００を使用して、特定のレシピを調理している場合、ミキサー装置１００がそのレシピを完成させるのに必要なステップは、無線インタフェースを介してコントロールユニットによって受信される操作パラメータである。このようなステップは、例えば、第１持続時間に亘って、モータのために第１電力レベルにある第１混合速度設定と、続いて、第２持続時間に亘って、モータのために第２電力レベルにある第２混合速度設定と、を含むことができる。少なくとも１つの操作設定は、更なるステップに移る前に、モータ１６６の運動を停止させるステップ、および／または、ユーザインタフェース１１０を介するか、あるいは他の装置からの入力を待つステップを含むことができる。
【０１４１】
電子ユニット２５４の無線通信インタフェースと通信するのに使用される遠隔装置は、自身の無線通信インタフェースを有するように構成され、かつ電子ユニット２５４の無線通信インタフェースと互換性があるコンピュータ装置を備えることができる。遠隔装置は、例えば、スマートフォン、タブレット、または他の無線機能付き装置等の携帯型無線通信装置を含むことができる。操作パラメータは、遠隔装置上のユーザインタフェースを介して、無線通信装置によって取得されるか、または無線通信装置内に入力され、続いて、遠隔装置の無線通信インタフェースを介して、ミキサー装置１００に伝達される。例えば、ミキサーの速度設定および持続時間をスマートフォンにプログラムし、続いて、ミキサー装置１００に伝達することができる。いくつかのケースにおいては、（例えば、インターネットへの接続を介して、）遠隔サーバから遠隔装置にダウンロードする等、遠隔装置によって操作パラメータを予め決定し、取得することができる。別の実施形態において、電子ユニット２５４は、自身の無線通信を使用して、遠隔サーバにリンクし、情報を取得することができる。これらの実施形態において、「携帯型」装置とは、平均的な人間によって運搬可能であるように構成かつ寸法決めされた装置を含む。
【０１４２】
別の実施形態において、遠隔装置は、ミキサー装置のベースユニット１０２に配置されるユーザインタフェースであることができる。ユーザインタフェース（例えば、ユーザインタフェース１１０）は、ユーザインプットを接触によって変換するための接触感知式であってもよい。ユーザインタフェースは、電子ユニット２５４に無線接続するか、電子ユニット２５４に直接的に接続してもよい。
【０１４３】
従って、複数のレシピや他の命令に応じて、ミキサー装置１００用のプログラムされた設定を取得し、ミキサー装置１００に送信することができる。この方法において、ユーザは、第三者によって供給されたミキサーパラメータを取得し、続いて、どのパラメータがミキサー装置１００によって調理されるレシピにとって最適な結果をもたらすかを試験または考慮する必要なしに、これらのパラメータを実行することができる。一実施例において、レシピが、ボウル１０４内に第１の材料として小麦粉の追加を必要とする場合、混合ツールアタッチメント１０６の最初の急速な押出し運動により、小麦粉をボウル１０４から巻き上げ、かつ噴出しないように、第１モータの回転速度は、ゆっくりと増加する低い値となる。続いて、バターまたは他の粘着性あるいは液体性材料を混合するために追加した後、速度を増加させてもよい。試行錯誤の結果としてではなく、これらの設定を外的に取得し、ミキサー装置１００に供給するため、レシピを作る中でのミスをより容易に避けることができる。いくつかの配置において、ミキサー装置１００に設定を変更するよう指揮するために、ユーザは、ミキサー装置１００が使用される際に実施される各ステップのステータスを登録して、プロセスを完結することができる。
【０１４４】
一実施形態において、遠隔装置は、重量計、湿度測定装置、温度計、または他のトランスデューサ等の測定装置を備えることができる。測定装置を使用して、ミキサー装置１００に追加される材料の物理的特徴を測定し、続いて、そのデータ（または関連データ）をミキサー装置１００の電子ユニット２５４に通信することができる。例えば、ユーザは、電子スケール上にてある量の小麦粉を量ると、そのスケールが小麦粉の重量を測定し、その値をミキサー装置１００に伝達する。ミキサー装置１００は、続いて、モータ操作パラメータ、および／または、ボウル１０４内の卵または他の材料と結合した際に、その分量の小麦粉を混合するのに好適な混合ツールアタッチメントを計算する。別に実施例において、遠隔装置は、バターがボウル１０４において溶けているか、柔らかいか、しなやかか、または硬いかどうかに応じて、ボウル１０４に追加されるバターの温度を決定し、電子ユニット２５４にモータの電力設定を供給する食品用温度計であってもよい。従って、遠隔装置は、材料の物理的特徴を変換し、続いて、無線通信インタフェースを介して、電子ユニット２５４に操作設定を送信することができる。遠隔測定装置は、測定データ以外または測定データに加えて、命令をミキサー装置１００に送信することができる。
【０１４５】
図３５は、本発明によるシステムおよび方法の態様を実施するのに好適なコンピュータシステム４００のブロック図を表す。コンピュータシステム４００は、本発明の電子ユニット２５４の一部であってもよい。コンピュータシステム４００は、中央プロセッサ４１０、システムメモリ４１５（典型的には、ＲＡＭであるが、ＲＯＭ、フラッシュＲＡＭ等も含み得る）、入力／出力コントローラ４２０、オーディオ出力インタフェース４３０を介するスピーカーシステム４２５等の外部オーディオ装置、ディスプレイアダプタ４４０を介するディスプレイスクリーン４３５等の外部装置、入力装置４４５（インプットコントローラ４５０でインタフェース接続された）（例えば、キーボード、タッチスクリーン等）、（センサコントローラ４６０でインタフェース接続された）センサ４５５、（ＵＳＢコントローラ４６０でインタフェース接続された）１つ以上のユニバーサル・シリアル・バス（ＵＳＢ）装置４６５、および固定ディスク４７５にリンクするストレージインタフェース４８０等のコンピュータシステム４００の主要なサブシステムを相互接続するバス４０５を含む。ネットワークインタフェース４８５もバス４０５に含まれ、かつ直接的に連結されている。
【０１４６】
バス４０５により、中央プロセッサ４１０と、前述したとおり、リードオンリーメモリ（ＲＯＭ）またはフラッシュメモリ（どちらも図示せず）およびランダムアクセスメモリ（ＲＡＭ）（図示せず）を含むシステムメモリ４１５との間のデータ通信が可能となる。ＲＡＭは、一般的に、操作システムおよびアプリケーションプログラムがロードされた主要メモリである。ＲＯＭまたはフラッシュメモリは、他のコードの中でも、周辺部品または装置との相互作用等、基本的なハードウエア操作を制御する基本入出力システム（ＢＩＯＳ）を含むことができる。例えば、本発明によるシステムおよび方法を実施することができるコントロールモジュール４０２は、システムメモリ４１５内に収容することができる。コントロールモジュール４０２は、例えば、図３３〜図３４の方法およびモータ１６６および他のミキサー装置１００の電子機器を制御するのに使用される他の方法等の本明細書に記載の方法のステップを実施するための命令を含むことができる。コンピュータシステム４００に内在するアプリケーションは、一般的に、ハードディスク装置（例えば、固定ディスク４７５）、光学ドライブ（例えば、ＵＳＢ装置４６５の一部またはストレージインタフェース４８０に接続する光学ドライブ）、または他のストレージ媒体等の非一時的なコンピュータ可読媒体上に収容され、それを介してアクセスされる。更に、アプリケーションは、ネットワークインタフェース４８５を介してアクセスされる際に、アプリケーションおよびデータ通信技術に従って調節された電子信号の形態であることができる。
【０１４７】
コンピュータシステム４００の他のストレージインタフェースと同様に、ストレージインタフェース４８０は、固定ディスクドライブ４７５等の情報の保管および／または検索のための標準的なコンピュータ読取可能媒体に接続可能である。固定ディスクドライブ４７５は、コンピュータシステム４００の一部であるか、または別個であって、他のインタフェースシステムを通じてアクセスしてもよい。ネットワークインタフェース４８５に接続されるモデムにより、テレフォンリンクを介して遠隔サーバに、またはインターネットサービスプロバイダ（ＩＳＰ）を介して、インターネットに直接的に接続する。ネットワークインタフェース４８５により、ＰＯＰ（存在点）を介してインターネットにリンクする直接ネットワークを介して遠隔サーバに直接的に接続する。ネットワークインタフェース４８５は、無線技術を用いてこのような接続を提供してもよく、デジタル式携帯電話接続、セル方式デジタルパケットデータ（ＣＤＰＤ）接続、デジタル衛星データ接続等を含む。
【０１４８】
多数の他の装置またはサブシステム（図示せず）を、同様の方法（例えば、文書スキャナ、デジタルカメラ等）で接続してもよい。逆に、本発明によるシステムおよび方法を実施するために、図４に示す全ての装置が存在する必要はない。装置およびサブシステムは、図４に示すのとは異なる方法で相互接続してもよい。図４に示すようなコンピュータシステムの動作は、当技術分野において容易に知ることができる故、本明細書では詳細な説明はしない。本発明を実装するためのコードは、１つ以上のシステムメモリ４１５または固定ディスク４７５等の、非一時的なコンピュータ可読媒体に格納してもよい。コンピュータシステム４００上に提供されるオペレーティングシステムは、ＭＳ−ＤＯＳ（登録商標）、ＭＳ−ＷＩＮＤＯＷＳ（登録商標）、ＯＳ／２（登録商標）、ＵＮＩＸ（登録商標）、Ｌｉｎｕｘ（登録商標）、または他の既知のオペレーティングシステムでよい。
【０１４９】
更に、本明細書に記載した信号およびネットワーク通信に関して、当業者には言うまでもないが、信号は、第１ブロックから第２ブロックに直接送信してもよく、またはブロック間で信号の修正（例えば、増幅、減衰、遅延、ラッチ、バッファ、反転、フィルタ、または他の修正）を行ってもよい。上述した実施の実施形態の信号は、あるブロックから次のブロックに送信されることを特徴とするが、本システムおよび方法の他の実施形態は、信号の情報および／または機能的な局面をブロック間で送信する限り、このような直接送信信号の代わりに修正した信号を含んでいてもよい。ある程度までは、第２ブロックの信号入力は、（例えば、何らかの減衰および遅延は避けられない）関与する回路の物理的制限により、第１ブロックからの第１信号出力から導かれる第２信号として概念的に説明できる。従って、本明細書で用いるように、第１信号から導かれる第２信号は、第１信号または第１信号への任意の修正を含み、この修正は、回路制限によるか、または第１信号の情報的および／または最終的な機能局面を変更しない他の回路要素の通過によるかどうかに関わらない。
【０１５０】
特定の実施形態および実施例を参照して、本明細書に多様な発明を記載した。しかしながら、当業者には言うまでもなく、本明細書に記載の発明の範囲および精神から逸脱することなく、多くの変形形態が可能であり、添付の特許請求の範囲に記載のこれらの発明は、本発明の精神から逸脱することなく、記載した発明における全ての変更および修正を含むことを意図している。本明細書および特許請求の範囲において使用する「含む」および「有する」とは、「備える」と同義である。
【図１Ａ】
2018507088.tif 000003
【図１Ｂ】
2018507088.tif 000004
【図１Ｃ】
2018507088.tif 000005
【図１Ｄ】
2018507088.tif 000006
【図１Ｅ】
2018507088.tif 000007
【図２Ａ】
2018507088.tif 000008
【図２Ｂ】
2018507088.tif 000009
【図２Ｃ】
2018507088.tif 000010
【図２Ｄ】
2018507088.tif 000011
【図２Ｅ】
2018507088.tif 000012
【図３Ａ】
2018507088.tif 000013
【図３Ｂ】
2018507088.tif 000014
【図３Ｃ】
2018507088.tif 000015
【図４】
2018507088.tif 000016
【図５】
2018507088.tif 000017
【図６】
2018507088.tif 000018
【図７】
2018507088.tif 000019
【図８】
2018507088.tif 000020
【図９】
2018507088.tif 000021
【図１０】
2018507088.tif 000022
【図１１】
2018507088.tif 000023
【図１２】
2018507088.tif 000024
【図１３】
2018507088.tif 000025
【図１４Ａ】
2018507088.tif 000026
【図１４Ｂ】
2018507088.tif 000027
【図１５Ａ】
2018507088.tif 000028
【図１５Ｂ】
2018507088.tif 000029
【図１５Ｃ】
2018507088.tif 000030
【図１６Ａ】
2018507088.tif 000031
【図１６Ｂ】
2018507088.tif 000032
【図１７Ａ】
2018507088.tif 000033
【図１７Ｂ】
2018507088.tif 000034
【図１７Ｃ】
2018507088.tif 000035
【図１８Ａ】
2018507088.tif 000036
【図１８Ｂ】
2018507088.tif 000037
【図１９Ａ】
2018507088.tif 000038
【図１９Ｂ】
2018507088.tif 000039
【図１９Ｃ】
2018507088.tif 000040
【図２０Ａ】
2018507088.tif 000041
【図２０Ｂ】
2018507088.tif 000042
【図２１】
2018507088.tif 000043
【図２２】
2018507088.tif 000044
【図２３】
2018507088.tif 000045
【図２４】
2018507088.tif 000046
【図２５】
2018507088.tif 000047
【図２６Ａ】
2018507088.tif 000048
【図２６Ｂ】
2018507088.tif 000049
【図２７】
2018507088.tif 000050
【図２８】
2018507088.tif 000051
【図２９】
2018507088.tif 000052
【図３０】
2018507088.tif 000053
【図３１Ａ】
2018507088.tif 000054
【図３１Ｂ】
2018507088.tif 000055
【図３２】
2018507088.tif 000056
【図３３】
2018507088.tif 000057
【図３４】
2018507088.tif 000058
【図３５】
2018507088.tif 000059
【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
材料を混合するための食品混合機械であって、
水平面上に休止するように構成されるベースユニットと、
前記ベースユニットに配置されるモータと、
前記ベースユニットに取り付けられるボウルであって、前記ベースユニットが水平面上に休止する一方で、重力方向に対して非平行である角度で延在する長手方向軸線を有する前記ボウルと、
前記ボウルに配置される混合ツールであって、前記モータに操作可能に接続されて、前記モータからトルクを受容し、かつ前記ボウル内を移動して、前記ボウルの内容物を混合する混合ツールと、
を備える食品混合機械。
【請求項２】
請求項１に記載の食品混合機械であって、前記角度が、重力方向に対して約１６５°〜約１７５°である、食品混合機械。
【請求項３】
請求項１に記載の食品混合機械であって、前記ボウルは、更に、中央開口部を備え、また前記ベースユニットは、更に、前記中央開口部を貫通し、前記混合ツールに接続する駆動軸を備える、食品混合機械。
【請求項４】
請求項１に記載の食品混合機械であって、前記ボウルは、前記ボウルを貫通する中央カラムを備える、食品混合機械。
【請求項５】
請求項１に記載の食品混合機械であって、前記ボウルは、材料を保持するための環状の容器を備える、食品混合機械。
【請求項６】
請求項１に記載の食品混合機械であって、前記ボウルは、前記ベースユニットに取り外し可能に取り付けられる、食品混合機械。
【請求項７】
請求項６に記載の食品混合機械であって、前記ベースユニットは、更に、ネスト部分を備え、前記ボウルは、前記ネスト部分内の前記ベースユニットに取り付けられる、食品混合機械。
【請求項８】
請求項１に記載の食品混合機械であって、前記混合ツールは、前記ボウルの長手方向軸線に沿って移動可能である、食品混合機械。
【請求項９】
請求項１に記載の食品混合機械であって、前記混合ツールは、前記モータによってトルクされる第２ギア面と係合する第１ギア面を備える、食品混合機械。
【請求項１０】
請求項１に記載の食品混合機械であって、更に、前記ボウルを被覆する蓋を備え、前記蓋は凹状の頂面を有し、前記凹状の頂面は開口部が形成された側部を有し、前記開口部は前記ボウル内に開口している、食品混合機械。
【請求項１１】
請求項１０に記載の食品混合機械であって、前記蓋は、複数の位置にて前記ボウルに取り付け可能である、食品混合機械。
【請求項１２】
請求項１０に記載の食品混合機械であって、前記開口部は、前記ボウルの長手方向軸線からずれている、食品混合機械。
【請求項１３】
請求項１０に記載の食品混合機械であって、前記開口部は、前記凹状の頂面の最下点に形成される、食品混合機械。
【請求項１４】
請求項１０に記載の食品混合機械であって、前記開口部は、前記開口部の第１端部に第１幅と、前記開口部の第２端部に第２幅と、を備え、前記第１幅は、前記第２幅よりも広い、食品混合機械。
【請求項１５】
請求項１４に記載の食品混合機械であって、前記混合ツールは、前記ボウルに対して回転方向に回転するように構成され、前記蓋における前記開口部の第１端部は、前記混合ツールの回転方向において、前記開口部の第２端部の上流側に配置される、食品混合機械。
【国際調査報告】
2018507088.tif 000060
2018507088.tif 000061